(57)【要約】【課題】  厚さ２．５ｍｍ程の薄い部材の連結をも可能とする連結板と連結板装填部、及び、連結板と複数の連結板装填部形成部材から成り、組立と分解が容易な連結構築物を提供する。【解決手段】  変形復元能を有する連結板に切欠部、孔または凹部を設け、２つの連結板装填部形成部材から形成される連結板装填部に対し、連結板が、湾曲しながら挿入されて行き、連結板の復元能により嵌合位置で嵌合する様に、連結板装填部の挿入用口、スライド用溝、嵌合用凸部、連結板が湾曲する時に沿う為の隆起部を配置し、嵌合状態において、２つの連結板装填部形成部材の一方が有する凸部の一部と、他方が有する凸部の残りの一部を、切欠部、孔または凹部に嵌合させ、連結板で凸部の一部と凸部の残りの一部を両側から挟んで２つの連結板装填部形成部材を連結する。又、連結板を連結板装填部から取り出す為に、挿入用口と反対側に、別の挿入用口などを設ける。【選択図】図１３
2011027239.tif 000002
【特許請求の範囲】
【請求項１】
複数の連結板装填部形成部材から成る連結板支持部材が備える連結板装填部に、連結板を装填することにより構築される連結構築物であって、
前記連結板装填部は、連結板挿入用口と、連結板挿入用スペースと、連結板スライド用溝とを有し、
前記連結板挿入用口は、前記連結板を挿入する為の入口であり、前記連結板支持部材の外側面に開口し、
前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板支持部材を貫通し、
前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、
前記連結板装填部は、前記連結板挿入用口を前記連結板スライド用溝の両端にそれぞれ有し、
前記第一の壁または前記第二の壁は、前記連結板の装填時に前記連結板の少なくとも一部が通過する位置に連結板嵌合用凸部を備え、
前記連結板は、板状で、第一の面、第二の面、挿入時前方部、挿入時後方部、挿入時側方部と連結板支持部材用嵌合部を有し、変形能と復元能を備え、
前記第一の面と前記第二の面は、表裏の関係となる面であり、
前記第一の面は、前記連結板挿入用スペースへ前記連結板を挿入した状態において、前記第一の壁の側に位置して、前記第一の壁に対向し、
前記第二の面は、前記連結板挿入用スペースへ前記連結板を挿入した状態において、前記第二の壁の側に位置して、前記第二の壁に対向し、
前記挿入時前方部は、前記連結板が前記連結板挿入用スペースにスライド式に挿入される際に前方となる部分であり、
前記挿入時後方部は、前記連結板が前記連結板挿入用スペースにスライド式に挿入される際に後方となる部分であり、
前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、
前記連結板支持部材用嵌合部は、前記連結板嵌合用凸部と嵌合する為の切欠部、孔または凹部を有し、
前記連結板支持部材用嵌合部が有する前記切欠部、前記孔または前記凹部は、前記挿入時前方部と前記挿入時後方部の間の中間もしくは中間付近であり、両側の前記挿入時側方部または前記挿入時側方部の近傍となる位置にそれぞれ存在し、
前記第一の壁または前記第二の壁のどちらか一方は、両側の前記連結板スライド用溝の間の中間または中間付近の位置に隆起する隆起部を備え、
前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝、前記連結板嵌合用凸部および前記隆起部は設けられており、
前記連結板嵌合用凸部は、前記連結板スライド用溝の両端に存在する前記連結板挿入用口の間の中間もしくは中間付近の位置であり、前記第一の壁が前記隆起部を備えている場合には前記連結板挿入用スペースの両側の前記連結板スライド用溝の底または底近くの前記第二の壁の側の互いに対向する位置、あるいは、前記第二の壁が前記隆起部を備えている場合には前記連結板挿入用スペースの両側の前記連結板スライド用溝の底または底近くの前記第一の壁の側の互いに対向する位置、にそれぞれ存在し、
前記連結板支持部材用嵌合部と前記連結板嵌合用凸部は、互いに嵌合する位置において、前記連結板の前記復元能により嵌合し、
前記複数の連結板装填部形成部材の中の２つの連結板装填部形成部材は、それぞれ、互いに合わせる為の合せ面を備え、
前記２つの連結板装填部形成部材の一方は、前記連結板スライド用溝の両端に存在する前記連結板挿入用口の内の一方の端に存在する前記連結板挿入用口と、前記連結板嵌合用凸部の一部を有し、
前記２つの連結板装填部形成部材の他方は、前記連結板スライド用溝の両端に存在する前記連結板挿入用口の内の他方の端に存在する前記連結板挿入用口と、前記連結板嵌合用凸部の残りの一部を有し、
前記連結板装填部は、前記２つの連結板装填部形成部材がそれぞれ備える前記合せ面で互いに合わされることにより形成され、
前記２つの連結板装填部形成部材により形成される前記連結板装填部に、前記連結板を挿入して装填することにより、前記連結板支持部材用嵌合部が有する前記切欠部、前記孔または前記凹部に、前記連結板嵌合用凸部が嵌合し、前記連結板が、前記２つの連結板装填部形成部材を連結する
ことを特徴とする連結構築物。
【請求項２】
複数の連結板装填部形成部材から成る連結板支持部材が備える連結板装填部に、連結板を装填することにより構築される連結構築物であって、
前記連結板装填部は、連結板挿入用口と、連結板挿入用スペースと、連結板スライド用溝とを有し、
前記連結板挿入用口は、前記連結板を挿入する為の入口であり、前記連結板支持部材の外側面に開口し、
前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板支持部材を貫通し、
前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、
前記連結板装填部は、前記連結板挿入用口を前記連結板スライド用溝の両端にそれぞれ有し、
前記第一の壁または前記第二の壁は、前記連結板の装填時に前記連結板の少なくとも一部が通過する位置に連結板嵌合用凸部を備え、
前記連結板は、板状で、第一の面、第二の面、挿入時前方部、挿入時後方部、挿入時側方部と連結板支持部材用嵌合部を有し、変形能と復元能を備え、
前記第一の面と前記第二の面は、表裏の関係となる面であり、
前記第一の面は、前記連結板挿入用スペースへ前記連結板を挿入した状態において、前記第一の壁の側に位置して、前記第一の壁に対向し、
前記第二の面は、前記連結板挿入用スペースへ前記連結板を挿入した状態において、前記第二の壁の側に位置して、前記第二の壁に対向し、
前記挿入時前方部は、前記連結板が前記連結板挿入用スペースにスライド式に挿入される際に前方となる部分であり、
前記挿入時後方部は、前記連結板が前記連結板挿入用スペースにスライド式に挿入される際に後方となる部分であり、
前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、
前記連結板支持部材用嵌合部は、前記連結板嵌合用凸部と嵌合する為の孔または凹部を有し、
前記連結板支持部材用嵌合部が有する前記孔または前記凹部は、前記挿入時前方部と前記挿入時後方部の間の中間もしくは中間付近であり、両側の前記挿入時側方部の間の中間もしくは中間付近となる位置に存在し、
前記第一の壁または前記第二の壁のどちらか一方は、両側の前記連結板スライド用溝の間の中間または中間付近の位置であり、前記連結板挿入用スペースの両端に存在する前記連結板挿入用口の間の中間または中間付近の位置に、隆起する隆起部を備え、
前記隆起部が、前記連結板嵌合用凸部でもあり、
前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝および前記連結板嵌合用凸部は設けられており、
前記連結板支持部材用嵌合部と前記連結板嵌合用凸部は、互いに嵌合する位置において、前記連結板の前記復元能により嵌合し、
前記複数の連結板装填部形成部材の中の２つの連結板装填部形成部材は、それぞれ、互いに合わせる為の合せ面を備え、
前記２つの連結板装填部形成部材の一方は、前記連結板スライド用溝の両端に存在する前記連結板挿入用口の内の一方の端に存在する前記連結板挿入用口と、前記連結板嵌合用凸部の一部を有し、
前記２つの連結板装填部形成部材の他方は、前記連結板スライド用溝の両端に存在する前記連結板挿入用口の内の他方の端に存在する前記連結板挿入用口と、前記連結板嵌合用凸部の残りの一部を有し、
前記連結板装填部は、前記２つの連結板装填部形成部材がそれぞれ備える前記合せ面で互いに合わされることにより形成され、
前記２つの連結板装填部形成部材により形成される前記連結板装填部に、前記連結板を挿入して装填することにより、前記連結板支持部材用嵌合部が有する前記孔または前記凹部に、前記連結板嵌合用凸部が嵌合し、前記連結板が、前記２つの連結板装填部形成部材を連結する
ことを特徴とする連結構築物。
【請求項３】
複数の連結板装填部形成部材から成る連結板支持部材が備える連結板装填部に、連結板を装填することにより構築される連結構築物であって、
前記連結板装填部は、連結板挿入用口と、連結板挿入用スペースと、連結板スライド用溝とを有し、
前記連結板挿入用口は、前記連結板を挿入する為の入口であり、前記連結板支持部材の外側面に開口し、
前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、
前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、
前記第一の壁または前記第二の壁は、前記連結板の装填時に前記連結板の少なくとも一部が通過する位置に連結板嵌合用凸部を備え、
前記連結板は、板状で、第一の面、第二の面、挿入時前方部、挿入時後方部、挿入時側方部と連結板支持部材用嵌合部を有し、変形能と復元能を備え、
前記第一の面と前記第二の面は、表裏の関係となる面であり、
前記第一の面は、前記連結板挿入用スペースへ前記連結板を挿入した状態において、前記第一の壁の側に位置して、前記第一の壁に対向し、
前記第二の面は、前記連結板挿入用スペースへ前記連結板を挿入した状態において、前記第二の壁の側に位置して、前記第二の壁に対向し、
前記挿入時前方部は、前記連結板が前記連結板挿入用スペースにスライド式に挿入される際に前方となる部分であり、
前記挿入時後方部は、前記連結板が前記連結板挿入用スペースにスライド式に挿入される際に後方となる部分であり、
前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、
前記連結板支持部材用嵌合部は、前記連結板嵌合用凸部と嵌合する為の切欠部、孔または凹部を有し、
前記連結板支持部材用嵌合部が有する前記切欠部、前記孔または前記凹部は、前記挿入時前方部と前記挿入時後方部の間の中間もしくは中間付近であり、両側の前記挿入時側方部または前記挿入時側方部の近傍となる位置にそれぞれ存在し、
前記連結板装填部は、前記連結板を前記連結板装填部に装填した状態において、前記連結板の前記挿入時後方部が位置する側に前記連結板挿入用口を有し、前記連結板の前記挿入時前方部が位置する側に連結板押出用孔または連結板押出用溝を有し、
前記連結板押出用孔は、前記連結板装填部に装填されている前記連結板を前記連結板挿入用口から取り出す為の前記連結板の押し出しに利用する孔であり、前記連結板押出用溝は、前記連結板装填部に装填されている前記連結板を前記連結板挿入用口から取り出す為の前記連結板の押し出しに利用する溝であり、
前記第一の壁または前記第二の壁のどちらか一方は、両側の前記連結板スライド用溝の間の中間または中間付近の位置に隆起する隆起部を備え、
前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝、前記連結板嵌合用凸部および前記隆起部は設けられており、
前記連結板嵌合用凸部は、前記連結板挿入用口と前記連結板押出用孔の間の中間もしくは中間付近の位置、または、前記連結板挿入用口と前記連結板押出用溝の間の中間もしくは中間付近の位置、であり、前記第一の壁が前記隆起部を備えている場合には前記連結板挿入用スペースの両側の前記連結板スライド用溝の底または底近くの前記第二の壁の側の互いに対向する位置、あるいは、前記第二の壁が前記隆起部を備えている場合には前記連結板挿入用スペースの両側の前記連結板スライド用溝の底または底近くの前記第一の壁の側の互いに対向する位置、にそれぞれ存在し、
前記連結板支持部材用嵌合部と前記連結板嵌合用凸部は、互いに嵌合する位置において、前記連結板の前記復元能により嵌合し、
前記複数の連結板装填部形成部材の中の２つの連結板装填部形成部材は、それぞれ、互いに合わせる為の合せ面を備え、
前記２つの連結板装填部形成部材の一方は、前記連結板挿入用口と、前記連結板嵌合用凸部の一部を有し、
前記２つの連結板装填部形成部材の他方は、前記連結板押出用孔または前記連結板押出用溝と、前記連結板嵌合用凸部の残りの一部を有し、
前記連結板装填部は、前記２つの連結板装填部形成部材がそれぞれ備える前記合せ面で互いに合わされることにより形成され、
前記２つの連結板装填部形成部材により形成される前記連結板装填部に、前記連結板を挿入して装填することにより、前記連結板支持部材用嵌合部が有する前記切欠部、前記孔または前記凹部に、前記連結板嵌合用凸部が嵌合し、前記連結板が、前記２つの連結板装填部形成部材を連結する
ことを特徴とする連結構築物。
【請求項４】
複数の連結板装填部形成部材から成る連結板支持部材が備える連結板装填部に、連結板を装填することにより構築される連結構築物であって、
前記連結板装填部は、連結板挿入用口と、連結板挿入用スペースと、連結板スライド用溝とを有し、
前記連結板挿入用口は、前記連結板を挿入する為の入口であり、前記連結板支持部材の外側面に開口し、
前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、
前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、
前記第一の壁または前記第二の壁は、前記連結板の装填時に前記連結板の少なくとも一部が通過する位置に連結板嵌合用凸部を備え、
前記連結板は、板状で、第一の面、第二の面、挿入時前方部、挿入時後方部、挿入時側方部と連結板支持部材用嵌合部を有し、変形能と復元能を備え、
前記第一の面と前記第二の面は、表裏の関係となる面であり、
前記第一の面は、前記連結板挿入用スペースへ前記連結板を挿入した状態において、前記第一の壁の側に位置して、前記第一の壁に対向し、
前記第二の面は、前記連結板挿入用スペースへ前記連結板を挿入した状態において、前記第二の壁の側に位置して、前記第二の壁に対向し、
前記挿入時前方部は、前記連結板が前記連結板挿入用スペースにスライド式に挿入される際に前方となる部分であり、
前記挿入時後方部は、前記連結板が前記連結板挿入用スペースにスライド式に挿入される際に後方となる部分であり、
前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、
前記連結板支持部材用嵌合部は、前記連結板嵌合用凸部と嵌合する為の孔または凹部を有し、
前記連結板支持部材用嵌合部が有する前記孔または前記凹部は、前記挿入時前方部と前記挿入時後方部の間の中間もしくは中間付近であり、両側の前記挿入時側方部の間の中間もしくは中間付近となる位置に存在し、
前記連結板装填部は、前記連結板を前記連結板装填部に装填した状態において、前記連結板の前記挿入時後方部が位置する側に前記連結板挿入用口を有し、前記連結板の前記挿入時前方部が位置する側に連結板押出用孔または連結板押出用溝を有し、
前記連結板押出用孔は、前記連結板装填部に装填されている前記連結板を前記連結板挿入用口から取り出す為の前記連結板の押し出しに利用する孔であり、前記連結板押出用溝は、前記連結板装填部に装填されている前記連結板を前記連結板挿入用口から取り出す為の前記連結板の押し出しに利用する溝であり、
前記第一の壁または前記第二の壁のどちらか一方は、両側の前記連結板スライド用溝の間の中間または中間付近の位置であり、前記連結板挿入用口と前記連結板押出用孔の間の中間もしくは中間付近の位置、あるいは、前記連結板挿入用口と前記連結板押出用溝の間の中間もしくは中間付近の位置に、隆起する隆起部を備え、
前記隆起部が、前記連結板嵌合用凸部でもあり、
前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝および前記連結板嵌合用凸部は設けられており、
前記連結板支持部材用嵌合部と前記連結板嵌合用凸部は、互いに嵌合する位置において、前記連結板の前記復元能により嵌合し、
前記複数の連結板装填部形成部材の中の２つの連結板装填部形成部材は、それぞれ、互いに合わせる為の合せ面を備え、
前記２つの連結板装填部形成部材の一方は、前記連結板挿入用口と、前記連結板嵌合用凸部の一部を有し、
前記２つの連結板装填部形成部材の他方は、前記連結板押出用孔または前記連結板押出用溝と、前記連結板嵌合用凸部の残りの一部を有し、
前記連結板装填部は、前記２つの連結板装填部形成部材がそれぞれ備える前記合せ面で互いに合わされることにより形成され、
前記２つの連結板装填部形成部材により形成される前記連結板装填部に、前記連結板を挿入して装填することにより、前記連結板支持部材用嵌合部が有する前記孔または前記凹部に、前記連結板嵌合用凸部が嵌合し、前記連結板が、前記２つの連結板装填部形成部材を連結する
ことを特徴とする連結構築物。
【請求項５】
前記２つの連結板装填部形成部材の有する前記合せ面の少なくとも一方は、陥凹部を有する
ことを特徴とする請求項１、請求項２、請求項３または請求項４記載の連結構築物。
【請求項６】
前記陥凹部を有する連結板装填部形成部材は、更に貫通孔を有し、前記貫通孔は、前記陥凹部と外側面とを連絡する位置にある
ことを特徴とする請求項５記載の連結構築物。
【請求項７】
前記２つの連結板装填部形成部材が、蝶番で連結されている
ことを特徴とする請求項５記載の連結構築物。
【請求項８】
前記２つの連結板装填部形成部材の有する前記合せ面は、それぞれ外側面に至る貫通孔を有する
ことを特徴とする請求項１、請求項２、請求項３または請求項４記載の連結構築物。
【請求項９】
前記連結構築物が身飾用具である
ことを特徴とする請求項１、請求項２、請求項３または請求項４記載の連結構築物。
【請求項１０】
前記２つの連結板装填部形成部材の内の少なくともどちらか一つの連結板装填部形成部材が、透明性か、あるいは前記合せ面から外側面に到る貫通孔を有しており、前記連結構築物が写真立てである
ことを特徴とする請求項１、請求項２、請求項３または請求項４記載の連結構築物。
【請求項１１】
前記連結構築物がお守り札である
ことを特徴とする請求項１、請求項２、請求項３または請求項４記載の連結構築物。
【請求項１２】
前記２つの連結板装填部形成部材の内の少なくともどちらか一つの連結板装填部形成部材が、透明性か、あるいは前記合せ面から外側面に到る貫通孔を有しており、前記連結構築物が名札である
ことを特徴とする請求項１、請求項２、請求項３または請求項４記載の連結構築物。
【請求項１３】
請求項１記載の連結板装填部形成部材であって、前記２つの連結板装填部形成部材のうちの前記一方の連結板装填部形成部材。
【請求項１４】
請求項２記載の連結板装填部形成部材であって、前記２つの連結板装填部形成部材のうちの前記一方の連結板装填部形成部材。
【請求項１５】
請求項３記載の連結板装填部形成部材であって、前記２つの連結板装填部形成部材のうちの前記一方の連結板装填部形成部材。
【請求項１６】
請求項３記載の連結板装填部形成部材であって、前記２つの連結板装填部形成部材のうちの前記他方の連結板装填部形成部材。
【請求項１７】
請求項４記載の連結板装填部形成部材であって、前記２つの連結板装填部形成部材のうちの前記一方の連結板装填部形成部材。
【請求項１８】
請求項４記載の連結板装填部形成部材であって、前記２つの連結板装填部形成部材のうちの前記他方の連結板装填部形成部材。
【請求項１９】
前記連結板装填部形成部材の有する前記合せ面は、陥凹部を有する
ことを特徴とする請求項１３、請求項１４、請求項１５、請求項１６、請求項１７または請求項１８記載の連結板装填部形成部材。
【請求項２０】
前記陥凹部を有する連結板装填部形成部材は、更に貫通孔を有し、前記貫通孔は、前記陥凹部と外側面とを連絡する位置にある
ことを特徴とする請求項１９記載の連結板装填部形成部材。
【発明の詳細な説明】
【技術分野】
【０００１】
本発明は、複数の連結板装填部形成部材から成る連結板支持部材が備える連結板装填部に、連結板を装填することにより構築される連結構築物に関する。
【背景技術】
【０００２】
従来、複数の部材を連結部材で連結した連結構築物があり、連結に関する技術が特許文献１で公開されている。
【特許文献１】特開平１１−１５５６４８号公報
【発明の開示】
【発明が解決しようとする課題】
【０００３】
しかしながら、上記従来の連結構築物においては、複数の部材を連結する為の連結部材が複雑な構造をしており、厚みが薄い小さな板状の部材同士を連結する為に用いることが困難であった。
例えば、厚みが２．５ｍｍ程度、直径が２４ｍｍ程度の小さな円板状の２つの部材を、厚み方向に連結することを目的として、連結部材を厚み方向に差し込んで埋設した場合、２つの円板状の部材を連結部材の差し込み方向に繋ぎ留める効果を連結部材が有していない為に、２つの円板状の部材が、厚み方向に容易に分離してしまうといった問題があった。
また、例えば、厚みが２．５ｍｍ程度、直径が２４ｍｍ程度の小さな円板状の２つの部材を、厚み方向に連結することを目的として、円板状の２つの部材の厚み方向に垂直な方向に、複雑な構造の連結部材を差し込んで埋設する様にすると、円板状の部材の連結部材挿入用の溝の作製コストおよび連結部材の小型化のコストが高くなるという問題があった。
【０００４】
また、ネジ留めにより連結構築物を構築することも可能であるが、連結構築物がペンダントなどの身飾用具の場合、外部からネジ頭が見えると美観を損ねると言った問題があり、連結構築物が振動を受ける場合、ネジの緩み止めが必要となるが、ネジの緩み止め部材であるバネ座金（スプリングワッシャー）を通したネジのネジ頭が連結する２つの部材からはみ出さない様に埋没することは、連結する部材の厚みが薄い場合は難しいという問題があった。
【０００５】
そこで、本発明は、専用の工具を必要とせず、厚みが２．５ｍｍ程度の薄い板状の部材同士の連結をも可能とする連結板、および、連結板を装填するための連結板装填部の構造を提供することを目的し、更に、連結板と複数の連結板装填部形成部材から成り、組立および分解が容易な連結構築物を提供することを目的とする。
【０００６】
なお、本発明内において、連結板とは、２つの異なる部材を連結する為の板状の部材のことを言い、表示板とは、外部から視認可能な何らかの情報を有している板状の部材のことを言う。
また、本発明内において、連結板装填部とは、連結板を装填することが可能で、連結板で連結される部位となる為、２つの異なる部材により形成されている部位のことを言い、表示板装填部とは、表示板を装填することが可能で、装填された部材に記された情報の視認を装填部の外方から可能とする窓部を有している部位のことを言い、表示板非表示装填部とは、表示板を装填することが可能で、装填された部材に記された情報の視認を装填部の外方から可能とする窓部を有していない部位のことを言う。
ここで、本発明内の表示板非表示装填部は、予備の表示板を収納するスペースや、外方から視認されたくない願い事あるいはメッセージ等の情報が付された表示板を収納するスペースとして用いることが可能な部位ではあるが、収納された表示板を外部に表示する機能が無い為、装填された表示板は表示板としての機能を発揮することが出来なくなる。
また、本発明内において、連結板または表示板を装填することが可能な部位を単に装填部と言い、連結板装填部と表示板装填部と表示板非表示装填部とを総称して装填部と言う。
【課題を解決するための手段】
【０００７】
上記課題を解決する為に、本発明に係る連結構築物は、複数の連結板装填部形成部材から成る連結板支持部材が備える連結板装填部に、連結板を装填することにより構築される連結構築物であって、前記連結板装填部は、連結板挿入用口と、連結板挿入用スペースと、連結板スライド用溝とを有し、前記連結板挿入用口は、前記連結板を挿入する為の入口であり、前記連結板支持部材の外側面に開口し、前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板支持部材を貫通し、前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、前記連結板装填部は、前記連結板挿入用口を前記連結板スライド用溝の両端にそれぞれ有し、前記第一の壁または前記第二の壁は、前記連結板の装填時に前記連結板の少なくとも一部が通過する位置に連結板嵌合用凸部を備え、前記連結板は、板状で、第一の面、第二の面、挿入時前方部、挿入時後方部、挿入時側方部と連結板支持部材用嵌合部を有し、変形能と復元能を備え、前記第一の面と前記第二の面は、表裏の関係となる面であり、前記第一の面は、前記連結板挿入用スペースへ前記連結板を挿入した状態において、前記第一の壁の側に位置して、前記第一の壁に対向し、前記第二の面は、前記連結板挿入用スペースへ前記連結板を挿入した状態において、前記第二の壁の側に位置して、前記第二の壁に対向し、前記挿入時前方部は、前記連結板が前記連結板挿入用スペースにスライド式に挿入される際に前方となる部分であり、前記挿入時後方部は、前記連結板が前記連結板挿入用スペースにスライド式に挿入される際に後方となる部分であり、前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、前記連結板支持部材用嵌合部は、前記連結板嵌合用凸部と嵌合する為の切欠部、孔または凹部を有し、前記連結板支持部材用嵌合部が有する前記切欠部、前記孔または前記凹部は、前記挿入時前方部と前記挿入時後方部の間の中間もしくは中間付近であり、両側の前記挿入時側方部または前記挿入時側方部の近傍となる位置にそれぞれ存在し、前記第一の壁または前記第二の壁のどちらか一方は、両側の前記連結板スライド用溝の間の中間または中間付近の位置に隆起する隆起部を備え、前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝、前記連結板嵌合用凸部および前記隆起部は設けられており、前記連結板嵌合用凸部は、前記連結板スライド用溝の両端に存在する前記連結板挿入用口の間の中間もしくは中間付近の位置であり、前記第一の壁が前記隆起部を備えている場合には前記連結板挿入用スペースの両側の前記連結板スライド用溝の底または底近くの前記第二の壁の側の互いに対向する位置、あるいは、前記第二の壁が前記隆起部を備えている場合には前記連結板挿入用スペースの両側の前記連結板スライド用溝の底または底近くの前記第一の壁の側の互いに対向する位置、にそれぞれ存在し、前記連結板支持部材用嵌合部と前記連結板嵌合用凸部は、互いに嵌合する位置において、前記連結板の前記復元能により嵌合し、前記複数の連結板装填部形成部材の中の２つの連結板装填部形成部材は、それぞれ、互いに合わせる為の合せ面を備え、前記２つの連結板装填部形成部材の一方は、前記連結板スライド用溝の両端に存在する前記連結板挿入用口の内の一方の端に存在する前記連結板挿入用口と、前記連結板嵌合用凸部の一部を有し、前記２つの連結板装填部形成部材の他方は、前記連結板スライド用溝の両端に存在する前記連結板挿入用口の内の他方の端に存在する前記連結板挿入用口と、前記連結板嵌合用凸部の残りの一部を有し、前記連結板装填部は、前記２つの連結板装填部形成部材がそれぞれ備える前記合せ面で互いに合わされることにより形成され、前記２つの連結板装填部形成部材により形成される前記連結板装填部に、前記連結板を挿入して装填することにより、前記連結板支持部材用嵌合部が有する前記切欠部、前記孔または前記凹部に、前記連結板嵌合用凸部が嵌合し、前記連結板が、前記２つの連結板装填部形成部材を連結することを特徴とする。
【０００８】
この構造においては、連結板の連結板挿入用スペースへの挿入時、連結板は連結板挿入用口から連結板スライド用溝の中を決められた方向にスライドしながら挿入されるが、連結板は連結板嵌合用凸部に行き当たると、それ以降は、連結板嵌合用凸部を避けて、隆起部の効果で隆起部側に凹状に変形しながら、隆起部に沿うようにして全体的に湾曲して、連結板支持部材用嵌合部と連結板嵌合用凸部の嵌合位置まで挿入されることになる。
【０００９】
つまり、この構造により、連結板挿入用口から連結板を、２つの連結板装填部形成部材により形成される連結板装填部の連結板挿入用スペースへ押し込むことにより、連結板の両側の挿入時側方部付近と、両側の挿入時側方部の間の中央付近では、連結板に反対方向の力を加えることが可能である。連結板の両側と中央とでは、第一の面側から第二の面側に向かう方向または第二の面側から第一の面側に向かう方向のどちらかの異なる力を加えることにより、連結板が全体的に第一の面側に凸状または凹状となる変形を生じさせることが可能となる。つまり、変形能が十分ではない為に、局所的に強い変形を生じさせることが困難な連結板であっても、緩やかに湾曲させることが可能な連結板でさえあれば、この構造を用いれば、連結板の連結板装填部への挿入時に、連結板を一方の挿入時側方部から反体側のもう一方の挿入時側方部にかけて全体的に緩やかに湾曲させることにより、連結板が連結板嵌合用凸部を乗り越えることを可能に出来る。
その結果、連結板の復元能を利用して、嵌合位置において、連結板の連結板支持部材用嵌合部が有する切欠部、孔または凹部に、連結板支持部材の連結板嵌合用凸部が嵌合することにより、２つの連結板装填部形成部材の一方が有する凸部の一部と、２つの連結板装填部形成部材の他方が有する凸部の残りの一部を、連結板が両側から挟むことになり、２つの連結板装填部形成部材を連結板で連結することが可能となる。
【００１０】
また、上述の連結板支持部材においては、連結板挿入用スペースは、連結板支持部材を貫通し、連結板装填部は、連結板挿入用口を連結板スライド用溝の両端にそれぞれ有しているので、連結板支持部材の連結板装填部に、連結板を指などで押し込んで装填した後、取り出し時には、一方の連結板挿入用口から反対側のもう一方の連結板挿入用口に向けて、爪などで連結板を押し出すことが可能である。また、一方の連結板挿入用口から他の別の連結板を押し込むことにより、他の別の連結板の装填と、反対側のもう一方の連結板挿入用口からの先に装填されていた連結板の取り出しとを同時に行うことが可能となる。例えば、指でつかむ為のつかみしろを割り当てる余裕がない、３方向の長さが、厚み０．５ｍｍ程度、横７ｍｍ程度、縦５ｍｍ程度の小さな連結板の場合、連結板を指で挟んで引っ張り出すことは困難であるが、この構造により、爪や他の別の連結板などを用いて、一方の連結板挿入用口から反対側のもう一方の連結板挿入用口に向けて、装填されている連結板を容易に押し出すことが可能となる。
その結果、連結構築物から連結板を取り出して、容易に連結板支持部材を連結板装填部形成部材に分解することが可能である。
【００１１】
連結板の取り出しに関して具体的に説明すると、連結板支持部材用嵌合部と連結板嵌合用凸部が互いに嵌合する位置（嵌合位置）から連結板を取り出す場合には、互いに嵌合する位置まで、連結板を連結板装填部の連結板挿入用口から挿入する時とは異なり、どちらか一方の連結板挿入用口から連結板を押すことにより、連結板が、変形能により、連結板嵌合用凸部を避けて変形して、連結板支持部材用嵌合部と連結板嵌合用凸部の嵌合が外れ、連結板は連結板装填部から取り出すことが可能となる。また、この場合、連結板挿入用口は、連結板を挿入する際の入口としての機能だけではなく、連結板を押し出す際の出口としての機能をも有する為、挿抜可能な出入り口、つまり、挿抜用口であると言う事が出来る。
【００１２】
また、この構造により、本発明の連結板支持部材を形成する連結板装填部形成部材は、例えば、図１３〜図１５に示す様な形態をとることができ、連結板装填部形成部材の互いの合せ面を合わせて連結板装填部を形成してから、図３に示す様な連結板を連結板装填部に装填することで、連結板装填部形成部材同士を結合（連結）させることが可能となる。
【００１３】
詳しく説明すると、２つの連結板装填部形成部材を合わせて形成された連結板装填部に、連結板を装填すると、連結板の復元能を利用して、連結板の切欠部、孔または凹部に、連結板嵌合用凸部が嵌まり込んだ状態となり、２つの連結板装填部形成部材のそれぞれが有する凸部の一部により形成される連結板嵌合用凸部が連結板に両側から挟まれた状態となるので、２つの連結板装填部形成部材は、連結板により結合（連結）された状態となる。また、連結板により結合（連結）された２つの連結板装填部形成部材は、２つの連結板装填部形成部材を合わせて形成された連結板装填部に装填された連結板を変形させながら取り出すことにより、分離することが可能となる。
【００１４】
また、連結板装填部形成部材同士の結合（連結）に関して、２つの連結板装填部形成部材のそれぞれが有する凸部の一部により形成される連結板嵌合用凸部が連結板に両側から挟まれた状態にすることが可能であれば、連結板嵌合用凸部の位置は、連結板スライド用溝の両端に存在する連結板挿入用口の間の中間でなくても構わない。連結板挿入用口に隣接していなければ、連結板嵌合用凸部を連結板に両側から挟まれた状態にすることが可能であるからである。
【００１５】
この様に、本発明においては、工具を利用せずに、連結板を用いて、連結板装填部形成部材の連結および連結解除を容易に行うことが出来る。
【００１６】
また、勿論、連結板挿入用スペースは、連結板支持部材を貫通せず、連結板装填部は、連結板挿入用口を連結板スライド用溝の一方の端にのみ有するとしても良い。
この構造により、連結板を用いて、連結板装填部形成部材同士を一度連結すると、連結板の取出しが困難となり、連結解除が困難になり、連結後に分解をしたくない場合に有利となる。
【００１７】
また、上記課題を解決する為に、本発明に係る連結構築物は、複数の連結板装填部形成部材から成る連結板支持部材が備える連結板装填部に、連結板を装填することにより構築される連結構築物であって、前記連結板装填部は、連結板挿入用口と、連結板挿入用スペースと、連結板スライド用溝とを有し、前記連結板挿入用口は、前記連結板を挿入する為の入口であり、前記連結板支持部材の外側面に開口し、前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板支持部材を貫通し、前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、前記連結板装填部は、前記連結板挿入用口を前記連結板スライド用溝の両端にそれぞれ有し、前記第一の壁または前記第二の壁は、前記連結板の装填時に前記連結板の少なくとも一部が通過する位置に連結板嵌合用凸部を備え、前記連結板は、板状で、第一の面、第二の面、挿入時前方部、挿入時後方部、挿入時側方部と連結板支持部材用嵌合部を有し、変形能と復元能を備え、前記第一の面と前記第二の面は、表裏の関係となる面であり、前記第一の面は、前記連結板挿入用スペースへ前記連結板を挿入した状態において、前記第一の壁の側に位置して、前記第一の壁に対向し、前記第二の面は、前記連結板挿入用スペースへ前記連結板を挿入した状態において、前記第二の壁の側に位置して、前記第二の壁に対向し、前記挿入時前方部は、前記連結板が前記連結板挿入用スペースにスライド式に挿入される際に前方となる部分であり、前記挿入時後方部は、前記連結板が前記連結板挿入用スペースにスライド式に挿入される際に後方となる部分であり、前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、前記連結板支持部材用嵌合部は、前記連結板嵌合用凸部と嵌合する為の孔または凹部を有し、前記連結板支持部材用嵌合部が有する前記孔または前記凹部は、前記挿入時前方部と前記挿入時後方部の間の中間もしくは中間付近であり、両側の前記挿入時側方部の間の中間もしくは中間付近となる位置に存在し、前記第一の壁または前記第二の壁のどちらか一方は、両側の前記連結板スライド用溝の間の中間または中間付近の位置であり、前記連結板挿入用スペースの両端に存在する前記連結板挿入用口の間の中間または中間付近の位置に、隆起する隆起部を備え、前記隆起部が、前記連結板嵌合用凸部でもあり、前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝および前記連結板嵌合用凸部は設けられており、前記連結板支持部材用嵌合部と前記連結板嵌合用凸部は、互いに嵌合する位置において、前記連結板の前記復元能により嵌合し、前記複数の連結板装填部形成部材の中の２つの連結板装填部形成部材は、それぞれ、互いに合わせる為の合せ面を備え、前記２つの連結板装填部形成部材の一方は、前記連結板スライド用溝の両端に存在する前記連結板挿入用口の内の一方の端に存在する前記連結板挿入用口と、前記連結板嵌合用凸部の一部を有し、前記２つの連結板装填部形成部材の他方は、前記連結板スライド用溝の両端に存在する前記連結板挿入用口の内の他方の端に存在する前記連結板挿入用口と、前記連結板嵌合用凸部の残りの一部を有し、前記連結板装填部は、前記２つの連結板装填部形成部材がそれぞれ備える前記合せ面で互いに合わされることにより形成され、前記２つの連結板装填部形成部材により形成される前記連結板装填部に、前記連結板を挿入して装填することにより、前記連結板支持部材用嵌合部が有する前記孔または前記凹部に、前記連結板嵌合用凸部が嵌合し、前記連結板が、前記２つの連結板装填部形成部材を連結することを特徴とすることもできる。
【００１８】
この構造により、本発明の連結板装填部形成部材は、図８および図９に示した表示板支持部材１３０を、各表示板装填部が有する表示板嵌合用凸部を２つに分割する位置で分割して得られる表示板装填部形成部材の様な形状を採ることが出来る。また、この様な形状の連結板装填部形成部材を合せ面で合わせて連結板装填部を形成してから、図９（ｅ）〜図９（ｋ）に示す様な連結板を装填することにより、連結構築物を容易に構築することが可能となる。
【００１９】
詳しく説明すると、２つの連結板装填部形成部材を合わせて形成された連結板装填部に、連結板を装填すると、連結板の復元能を利用して、連結板の孔または凹部に連結板嵌合用凸部が嵌まり込んだ状態となり、２つの連結板装填部形成部材のそれぞれが有する凸部の一部により形成される連結板嵌合用凸部が連結板に両側から挟まれた状態となるので、２つの連結板装填部形成部材は、連結板により結合（連結）された状態となる。また、連結板により結合（連結）された２つの連結板装填部形成部材は、２つの連結板装填部形成部材を合わせて形成された連結板装填部に装填された連結板を変形させながら取り出すことにより、分離することが可能となる。
【００２０】
また、連結板の連結板装填部への挿入時に、連結板が隆起部の隆起によって凸状に変形出来る様にする為には、隆起部を備える第一の壁または第二の壁と対向する第二の壁または第一の壁を、隆起に合わせて傾斜させれば良く、そうすることにより、連結板の両側の挿入時側方部の間の部分が隆起部に沿って全体的に湾曲することが可能となる。
【００２１】
また、勿論、連結板挿入用スペースは、連結板支持部材を貫通せず、連結板装填部は、連結板挿入用口を連結板スライド用溝の一方の端にのみ有するとしても良い。
この構造により、連結板を用いて、連結板装填部形成部材同士を一度連結すると、連結板の取出しが困難となり、連結解除が困難になり、連結後に分解をしたくない場合に有利となる。
り出すことにより、分離することが可能となる。
【００２２】
また、上記課題を解決する為に、本発明に係る連結構築物は、複数の連結板装填部形成部材から成る連結板支持部材が備える連結板装填部に、連結板を装填することにより構築される連結構築物であって、前記連結板装填部は、連結板挿入用口と、連結板挿入用スペースと、連結板スライド用溝とを有し、前記連結板挿入用口は、前記連結板を挿入する為の入口であり、前記連結板支持部材の外側面に開口し、前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、前記第一の壁または前記第二の壁は、前記連結板の装填時に前記連結板の少なくとも一部が通過する位置に連結板嵌合用凸部を備え、前記連結板は、板状で、第一の面、第二の面、挿入時前方部、挿入時後方部、挿入時側方部と連結板支持部材用嵌合部を有し、変形能と復元能を備え、前記第一の面と前記第二の面は、表裏の関係となる面であり、前記第一の面は、前記連結板挿入用スペースへ前記連結板を挿入した状態において、前記第一の壁の側に位置して、前記第一の壁に対向し、前記第二の面は、前記連結板挿入用スペースへ前記連結板を挿入した状態において、前記第二の壁の側に位置して、前記第二の壁に対向し、前記挿入時前方部は、前記連結板が前記連結板挿入用スペースにスライド式に挿入される際に前方となる部分であり、前記挿入時後方部は、前記連結板が前記連結板挿入用スペースにスライド式に挿入される際に後方となる部分であり、前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、前記連結板支持部材用嵌合部は、前記連結板嵌合用凸部と嵌合する為の切欠部、孔または凹部を有し、前記連結板支持部材用嵌合部が有する前記切欠部、前記孔または前記凹部は、前記挿入時前方部と前記挿入時後方部の間の中間もしくは中間付近であり、両側の前記挿入時側方部または前記挿入時側方部の近傍となる位置にそれぞれ存在し、前記連結板装填部は、前記連結板を前記連結板装填部に装填した状態において、前記連結板の前記挿入時後方部が位置する側に前記連結板挿入用口を有し、前記連結板の前記挿入時前方部が位置する側に連結板押出用孔または連結板押出用溝を有し、前記連結板押出用孔は、前記連結板装填部に装填されている前記連結板を前記連結板挿入用口から取り出す為の前記連結板の押し出しに利用する孔であり、前記連結板押出用溝は、前記連結板装填部に装填されている前記連結板を前記連結板挿入用口から取り出す為の前記連結板の押し出しに利用する溝であり、前記第一の壁または前記第二の壁のどちらか一方は、両側の前記連結板スライド用溝の間の中間または中間付近の位置に隆起する隆起部を備え、前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝、前記連結板嵌合用凸部および前記隆起部は設けられており、前記連結板嵌合用凸部は、前記連結板挿入用口と前記連結板押出用孔の間の中間もしくは中間付近の位置、または、前記連結板挿入用口と前記連結板押出用溝の間の中間もしくは中間付近の位置、であり、前記第一の壁が前記隆起部を備えている場合には前記連結板挿入用スペースの両側の前記連結板スライド用溝の底または底近くの前記第二の壁の側の互いに対向する位置、あるいは、前記第二の壁が前記隆起部を備えている場合には前記連結板挿入用スペースの両側の前記連結板スライド用溝の底または底近くの前記第一の壁の側の互いに対向する位置、にそれぞれ存在し、前記連結板支持部材用嵌合部と前記連結板嵌合用凸部は、互いに嵌合する位置において、前記連結板の前記復元能により嵌合し、前記複数の連結板装填部形成部材の中の２つの連結板装填部形成部材は、それぞれ、互いに合わせる為の合せ面を備え、前記２つの連結板装填部形成部材の一方は、前記連結板挿入用口と、前記連結板嵌合用凸部の一部を有し、前記２つの連結板装填部形成部材の他方は、前記連結板押出用孔または前記連結板押出用溝と、前記連結板嵌合用凸部の残りの一部を有し、前記連結板装填部は、前記２つの連結板装填部形成部材がそれぞれ備える前記合せ面で互いに合わされることにより形成され、前記２つの連結板装填部形成部材により形成される前記連結板装填部に、前記連結板を挿入して装填することにより、前記連結板支持部材用嵌合部が有する前記切欠部、前記孔または前記凹部に、前記連結板嵌合用凸部が嵌合し、前記連結板が、前記２つの連結板装填部形成部材を連結することを特徴とすることもできる。
【００２３】
この構造により、本発明の連結板装填部形成部材は、図１０に示した表示板支持部材１４０を、各表示板装填部が有する表示板嵌合用凸部を２つに分割する位置で分割して得られる表示板装填部形成部材の様な形状を採ることが出来る。また、この様な形状の連結板装填部形成部材を合せ面で合わせて連結板装填部を形成してから、連結板を装填することにより、連結構築物を容易に構築することが可能となる。
【００２４】
また、上記課題を解決する為に、本発明に係る連結構築物は、複数の連結板装填部形成部材から成る連結板支持部材が備える連結板装填部に、連結板を装填することにより構築される連結構築物であって、前記連結板装填部は、連結板挿入用口と、連結板挿入用スペースと、連結板スライド用溝とを有し、前記連結板挿入用口は、前記連結板を挿入する為の入口であり、前記連結板支持部材の外側面に開口し、前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、前記第一の壁または前記第二の壁は、前記連結板の装填時に前記連結板の少なくとも一部が通過する位置に連結板嵌合用凸部を備え、前記連結板は、板状で、第一の面、第二の面、挿入時前方部、挿入時後方部、挿入時側方部と連結板支持部材用嵌合部を有し、変形能と復元能を備え、前記第一の面と前記第二の面は、表裏の関係となる面であり、前記第一の面は、前記連結板挿入用スペースへ前記連結板を挿入した状態において、前記第一の壁の側に位置して、前記第一の壁に対向し、前記第二の面は、前記連結板挿入用スペースへ前記連結板を挿入した状態において、前記第二の壁の側に位置して、前記第二の壁に対向し、前記挿入時前方部は、前記連結板が前記連結板挿入用スペースにスライド式に挿入される際に前方となる部分であり、前記挿入時後方部は、前記連結板が前記連結板挿入用スペースにスライド式に挿入される際に後方となる部分であり、前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、前記連結板支持部材用嵌合部は、前記連結板嵌合用凸部と嵌合する為の孔または凹部を有し、前記連結板支持部材用嵌合部が有する前記孔または前記凹部は、前記挿入時前方部と前記挿入時後方部の間の中間もしくは中間付近であり、両側の前記挿入時側方部の間の中間もしくは中間付近となる位置に存在し、前記連結板装填部は、前記連結板を前記連結板装填部に装填した状態において、前記連結板の前記挿入時後方部が位置する側に前記連結板挿入用口を有し、前記連結板の前記挿入時前方部が位置する側に連結板押出用孔または連結板押出用溝を有し、前記連結板押出用孔は、前記連結板装填部に装填されている前記連結板を前記連結板挿入用口から取り出す為の前記連結板の押し出しに利用する孔であり、前記連結板押出用溝は、前記連結板装填部に装填されている前記連結板を前記連結板挿入用口から取り出す為の前記連結板の押し出しに利用する溝であり、前記第一の壁または前記第二の壁のどちらか一方は、両側の前記連結板スライド用溝の間の中間または中間付近の位置であり、前記連結板挿入用口と前記連結板押出用孔の間の中間もしくは中間付近の位置、あるいは、前記連結板挿入用口と前記連結板押出用溝の間の中間もしくは中間付近の位置に、隆起する隆起部を備え、前記隆起部が、前記連結板嵌合用凸部でもあり、前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝および前記連結板嵌合用凸部は設けられており、前記連結板支持部材用嵌合部と前記連結板嵌合用凸部は、互いに嵌合する位置において、前記連結板の前記復元能により嵌合し、前記複数の連結板装填部形成部材の中の２つの連結板装填部形成部材は、それぞれ、互いに合わせる為の合せ面を備え、前記２つの連結板装填部形成部材の一方は、前記連結板挿入用口と、前記連結板嵌合用凸部の一部を有し、前記２つの連結板装填部形成部材の他方は、前記連結板押出用孔または前記連結板押出用溝と、前記連結板嵌合用凸部の残りの一部を有し、前記連結板装填部は、前記２つの連結板装填部形成部材がそれぞれ備える前記合せ面で互いに合わされることにより形成され、前記２つの連結板装填部形成部材により形成される前記連結板装填部に、前記連結板を挿入して装填することにより、前記連結板支持部材用嵌合部が有する前記孔または前記凹部に、前記連結板嵌合用凸部が嵌合し、前記連結板が、前記２つの連結板装填部形成部材を連結することを特徴とすることもできる。
【００２５】
この構造により、本発明の連結板装填部形成部材は、図８および図９に示した表示板支持部材１３０の表示板表示用窓部を、無くすか、あるいは図１０に示した表示板支持部材１４０の表示板表示用窓部と同様形状としてから、更に、表示板挿入用口を表示板スライド用溝の両端ではなく一端にのみ設けるようにした上に、表示板スライド用溝の表示板挿入用口が設けられていない他端側に、表示板支持部材１４０と同様の表示板押出用孔または表示板押出用溝を形成することにより構成される表示板支持部材を、各表示板装填部が有する表示板嵌合用凸部を２つに分割する位置で分割して得られる表示板装填部形成部材の様な形状にすることが出来る。また、この様な形状の連結板装填部形成部材を合せ面で合わせて連結板装填部を形成してから、連結板を装填することにより、本発明の連結構築物を容易に構築することが可能となる。
【００２６】
また、本発明の連結板装填部形成部材において、前記２つの連結板装填部形成部材の有する前記合せ面の少なくとも一方は、陥凹部を有するとしてもよい。
【００２７】
この構造により、本発明の連結板装填部形成部材は、例えば、図１３（ａ１）〜図１３（ａ４）に示す様な形態をとることができ、陥凹部を収納スペースとして用いて、カードやコインなどの物品を収納してから、他の別の連結板装填部形成部材と互いの合せ面を合わせて連結板装填部を形成してから、連結板を連結板装填部に装填することで、物品を収納した状態で連結板装填部形成部材同士を結合（連結）させることが可能となる。これにより連結構築物は、収納スペースを有するペンダントやブローチなどとして利用することが可能となる。
【００２８】
また、他の別の連結板装填部形成部材が合せ面から外側面に至る円形、ハート型、星型などの貫通孔を有している場合、合せ面に陥凹部を有する連結板装填部形成部材の陥凹部に、貫通孔から脱落しない程度の大きさの板状の彫刻物や写真などを収納してから連結板で連結板装填部形成部材同士を結合（連結）すると、貫通孔から陥凹部に収納された物品を認識することが可能となる。これにより、例えば、図１５に示す様な形態の連結板装填部形成部材および連結板支持部材が考えられる。これにより、ペンダントやブローチなど以外に、名前の書いたプレートを陥凹部に収納することにより、名札として用いることが可能となる。
【００２９】
また、本発明の連結板装填部形成部材において、前記陥凹部を有する連結板装填部形成部材は、更に貫通孔を有し、前記貫通孔は、前記陥凹部と外側面とを連絡する位置にあるとしてもよい。
【００３０】
この構造により、例えば、図１３（ａ１）〜図１３（ａ４）に示す様な連結板装填部形成部材の陥凹部に円形、ハート型、星型などの貫通孔を設け、貫通孔を通り抜けない程度の大きさの写真などの物品を陥凹部に収納した後に、他の別の連結板装填部形成部材と互いの合せ面を合わせて連結板装填部を形成してから、連結板を連結板装填部に装填して、連結板装填部形成部材同士を結合（連結）させると、たとえ他の別の連結板装填部形成部材が貫通孔や透明部分を有していない場合であっても、陥凹部を有する連結板装填部形成部材の貫通孔を通して、陥凹部に収納した物品を認識することが可能となる。勿論、貫通孔に代えて、透明性のある部材を用いても、陥凹部に収納した物品の認識は可能であり、貫通孔に透明性のある部材を嵌めても、陥凹部に収納した物品の認識は可能となる。
【００３１】
また、本発明の連結板装填部形成部材において、前記２つの連結板装填部形成部材が、蝶番で連結されているとしてもよい。
【００３２】
この構造により、２つの連結板装填部形成部材が形成する連結板装填部から連結板を取り出した状態において、蝶番を軸にして互いの合せ面を離すようにして２つの連結板装填部形成部材を開いたり、蝶番を軸にして互いの合せ面を合わせるようにして２つの連結板装填部形成部材を閉じたりすることが可能となる。
【００３３】
また、本発明の連結板装填部形成部材において、前記２つの連結板装填部形成部材の有する前記合せ面は、それぞれ外側面に至る貫通孔を有するとしてもよい。
【００３４】
この構造により、連結構築物の大きさを調整すれば、連結構築物を指輪または腕輪として利用することが可能となる。例えば、図１３（ｂ１）〜図１３（ｂ４）に示す連結板装填部形成部材を２つ用いて、互いの合せ面を合わせて連結板装填部を形成してから、連結板を連結板装填部に装填することで、中央部に貫通孔を持つ連結構築物を組み立てることが可能となり、指輪または腕輪などとして用いることが可能となる。
【００３５】
ここで、本発明の連結構築物は、ブローチやペンダントなどの身飾用具として用いることが可能である。
例えば、連結板装填部形成部材自体が彫刻、図案や模様などを有している場合には、彫刻、図案や模様などを有している連結板装填部形成部材を自由に組み合わせて、バリエーション豊富な身飾用具を構築することが可能である。
また、例えば、少なくとも１つの連結板装填部形成部材が透明性を有しているか、合わせ面から外側面に到る貫通孔を有している場合には、透明性あるいは貫通孔を有している連結板装填部形成部材の側に、飾りとなる薄いプレート、図案等を有する紙、写真などの表面を向けてから、透明性あるいは貫通孔を有している連結板装填部形成部材と、他の連結板装填部形成部材とで、プレート、紙、写真などを挟んでから、連結板で留めることによっても身飾用具を構築することも可能である。
また、収納スペースとなる陥凹部を連結板装填部形成部材の合わせ面に設けることにより、プレート、紙、写真などは勿論のこと、厚みの有る彫刻物などを挟み込んで、身飾用具を構築することが可能となる。
【００３６】
また、本発明の連結構築物は、写真立てとして用いることが可能である。
例えば、少なくとも１つの連結板装填部形成部材が透明性を有しているか、合わせ面から外側面に到る貫通孔を有している場合には、透明性あるいは貫通孔を有している連結板装填部形成部材の側に、写真の表面を向けてから、透明性あるいは貫通孔を有している連結板装填部形成部材と、他の連結板装填部形成部材とで、写真を挟んでから、連結板で留めることによって写真立てを構築することが可能である。
勿論、更に、写真を挟む為の少なくとも１つの連結板装填部形成部材が、写真を収納する為の陥凹部を合わせ面に備えていても構わない。写真を陥凹部に収納することによって、連結構築物自体の厚みの変化を抑えることが出来るので、写真の厚みが異なっても安定して写真立てを構築することが可能となる。
【００３７】
また、本発明の連結構築物は、お守り札として用いることが可能である。
例えば、２つの連結板装填部形成部材の間に、お払いを受けた薄い布や紙などを挟んでから、連結板で留めることによってお守り札を構築することが可能である。
勿論、更に、お払いを受けた薄い布や紙などを挟む為の少なくとも１つの連結板装填部形成部材が、お払いを受けた薄い布や紙などを収納する為の陥凹部を合わせ面に備えていても構わない。お払いを受けた薄い布や紙などを陥凹部に収納することによって、連結構築物自体の厚みの変化を抑えることが出来るので、お払いを受けた布や紙などの厚みが厚くても安定してお守り札を構築することが可能となる。
【００３８】
また、本発明の連結構築物は、名札として用いることが可能である。
例えば、少なくとも１つの連結板装填部形成部材が透明性を有しているか、合わせ面から外側面に到る貫通孔を有している場合には、透明性あるいは貫通孔を有している連結板装填部形成部材の側に、名前を記載したプレートや紙などの表面を向けてから、透明性あるいは貫通孔を有している連結板装填部形成部材と、他の連結板装填部形成部材とで、名前を記載したプレートや紙などを挟んでから、連結板で留めることによって名札を構築することが可能である。
勿論、更に、名前を記載したプレートや紙などを挟む為の少なくとも１つの連結板装填部形成部材が、名前を記載したプレートや紙などを収納する為の陥凹部を合わせ面に備えていても構わない。名前を記載したプレートや紙などを陥凹部に収納することによって、連結構築物自体の厚みの変化を抑えることが出来るので、名前を記載したプレートや紙などの厚みが厚くても安定して名札を構築することが可能となる。
【００３９】
また、本発明により、連結板を局所的に強く変形させることなく、連結板支持部材に対して着脱可能に出来る為、変形復元能に乏しい材質を、連結構築物の連結板に用いることが可能となる。
【００４０】
この様に、本発明の連結板と連結板装填部形成部材とから成る連結構築物は、２つの連結板装填部形成部材で形成される連結板装填部に対する連結板の挿入時に、連結板を全体的に湾曲させるだけで、局所的に強く変形させる必要がなく、連結板を単に押し込むだけで連結板装填部に装填が可能であり、連結板挿入用スペースの両側に連結板挿入用口を作製することにより、どちら側の連結板挿入用口からでも連結板の挿入が可能で、更にどちら側の連結板挿入用口からでも連結板を単に押すだけで、反対側の連結板挿入用口からの取出しが可能であるため、組立および分解が行いやすい連結構築物となる。
【発明の効果】
【００４１】
本発明により、変形能および復元能を有する薄い単純な板状形状の連結部材を用いて、複数の部材の連結および連結解除をすることが可能となり、厚さが２．５ｍｍ程度の板状の部材同士でさえ、連結および連結解除が、工具を用いなくても容易に行える。
また、構築される連結構築物の外面に、連結板挿入用口であるスリット状の溝は必要となるが、留めネジを用いた場合に外面から視認されるネジ頭ほど美観を損ねることがないので、連結される部材に、収納スペースの陥凹部などを設けることにより、本発明の連結構築物は、ペンダントやブローチ等の身飾用具、写真立て、お守り札あるいは名札など様々な物への用途が見込める。
【発明を実施するための最良の形態】
【００４２】
以下に、本発明の実施の形態を、図面を参照して説明するが、最初に、図１〜図１２を用いて、本発明の連結板と構造上の違いがなく外形状が同一である表示板と、本発明の連結板装填部と基本的な構造が同じである表示板装填部により、表示板と表示板装填部の構造上の特徴および着脱時の形状変化について説明する。なお、本発明内における連結板と連結板装填部の着脱に必要な構造上の特徴および形状変化と、表示板と表示板装填部の着脱に必要な構造上の特徴および形状変化とは同じである。また、図１２は、表示板装填部から表示板を表示する為の窓部を取り去った形状である表示板非表示装填部の例を説明する為の図でもある。
【００４３】
次に、複数の連結板装填部形成部材の連結板による連結に関しては、連結板として機能することが可能な表示板と、連結板装填部として機能することが可能な表示板装填部を形成する表示板装填部形成部材とを用いて、図１３〜図１５で説明し、その後に、複数の連結板装填部形成部材から形成することが可能な連結板支持部材の外形状の異なった例を図１６〜図１７を用いて説明し、図１、図２および図４〜図１２に示した連結板装填部として機能することが可能な表示板装填部とは異なる形状の、連結板装填部として機能することが可能な表示板装填部の例を、図１８を用いて説明する。
【００４４】
なお、連結板装填部と表示板装填部と表示板非表示装填部の構造上の違いは、装填部が２つの異なる部材により形成されている必要があるかどうかと言う点と、装填部に装填された部材に記された情報の視認を装填部の外方から可能とする窓部を有している必要があるかどうかと言う点である。
【００４５】
具体的に説明すると、連結板装填部は２つの異なる部材により形成されている必要があるが、表示板装填部と表示板非表示装填部は必ずしも２つの異なる部材により形成されている必要がなく、１つの部材で形成されていても２つ以上の異なる部材により形成されていても構わない。つまり、連結板装填部は連結板で連結される部位となる為、２つの異なる部材により形成されている必要があるが、表示板装填部と表示板非表示装填部は表示板の装填が可能でさえあれば、形成する部材の数に制限はない。
【００４６】
また、表示板装填部は装填された部材に記された情報の視認を装填部の外方から可能とする窓部を有している必要があるが、連結板装填部は必ずしも装填された部材に記された情報の視認を装填部の外方から可能とする窓部を有している必要がなく、表示板非表示装填部は装填された部材に記された情報の視認を装填部の外方から可能とする窓部を有していない。
【００４７】
つまり、本発明の装填部は、１）表示板装填部の機能のみの場合、２）表示板非表示装填部の機能のみの場合、３）連結板装填部の機能と表示板非表示装填部の機能の両方を有する場合、４）連結板装填部の機能と表示板装填部の機能の両方を有する場合の四通りが考えられ、連結板装填部は、構造上、表示板装填部の機能か表示板非表示装填部の機能のどちらかを有していることになる。
【００４８】
ここで、外部から視認可能な何らかの情報を有している板状の部材が、表示板装填部の機能のみの装填部に用いられた場合には、板状の部材は表示板としての機能のみを発揮し、表示板非表示装填部の機能のみの装填部に用いられた場合には、板状の部材は表示板としての機能をも発揮できなくなり、連結板装填部の機能と表示板非表示装填部の機能の両方を有する装填部に用いられた場合には、板状の部材は連結板としての機能のみを発揮し、連結板装填部の機能と表示板装填部の機能の両方を有する装填部に用いられた場合には、板状の部材は表示板としての機能と連結板としての機能の両方を発揮することになる。
【００４９】
しかし、外部から視認可能な情報を全く有していない板状の部材の場合、例えば、板状の部材が、数字、文字、記号、絵、色または模様などを一切有しておらず無色透明の場合には、板状の部材を表示板装填部の機能のみの装填部に用いることや表示板非表示装填部の機能のみの装填部に用いることは、予備の板状の部材を収納しておくという以外には意味のないものになり、板状の部材を連結板装填部の機能と表示板非表示装填部の機能の両方を有する装填部に用いた場合にも、連結板装填部の機能と表示板装填部の機能の両方を有する装填部に用いた場合にも、板状の部材は連結板としての機能しか発揮しない。
【００５０】
つまり、本発明に記載の板状の部材は、条件により、表示板として機能する場合と、連結板として機能する場合と、表示板および連結板として機能する場合がある。具体的に説明すると、板状の部材の発揮する機能は、板状の部材自体が外部からの視認可能な情報を有しているか否か以外に、装填される装填部により異なり、板状の部材が外部からの視認可能な情報を有しているか否かに関わらず、連結板装填部の機能を有する装填部に用いられた場合には、板状の部材は連結板として機能し、外部からの視認可能な情報を有している板状の部材が、表示板装填部の機能を有する装填部に用いられた場合にのみ、板状の部材は表示板として機能する。
【００５１】
図１は、表示板装填物１０を様々な方向から見た図と、表示板装填物１０の構成要素の１つである表示板支持部材１００を右前上方から見た図である。
【００５２】
図１（ａ）、図１（ｂ）、図１（ｃ）、図１（ｄ）、図１（ｅ）、図１（ｆ）は順に、表示板装填物１０の平面図（上面図）、左側面図、正面図（前面図）、右側面図、底面図（下面図）、右前上方から見た斜視図である。また、図１（ｇ）は、表示板支持部材１００を右前上方から見た斜視図である。
【００５３】
図１（ａ）〜図１（ｆ）に示す様に、表示板装填物１０は、表示板装填物１０の構成の中心となる表示板支持部材１００と、複数の表示板３００とから構成されている。
【００５４】
図１（ａ）〜図１（ｆ）に示す例では、表示板装填物１０の構成部材である表示板３００は６つであり、それぞれの表示板３００は、数字が付された表示面を有している。また、表示面には、数字の代わりに文字、記号、マーク、絵、色や模様などを付けることが可能であり、後述する他の表示板についても同様である。
【００５５】
図１（ｇ）は、表示板支持部材１００の斜視図であるが、図１（ｆ）に示す状態の表示板装填物１０から、６つの表示板３００を全て取り除くと、図１（ｇ）に示す表示板支持部材１００の状態となる。
【００５６】
図２は、図１（ｇ）に示した表示板支持部材１００の左側面、正面（前面）、右側面および断面を示す図である。
【００５７】
図２（ａ）、図２（ｂ）、図２（ｃ）は順に、表示板支持部材１００の左側面図、正面図（前面図）、右側面図であり、図２（ｄ）は、表示板支持部材１００のＡ−Ａ断面図、図２（ｅ）は、表示板支持部材１００のＢ−Ｂ断面図である。なお、図２（ｄ）は、表示板支持部材１００のＡ−Ａ断面を、左側面の側から見た図で、斜線部１０６ＡＡはＡ−Ａ断面を表しており、図２（ｅ）は、表示板支持部材１００のＢ−Ｂ断面を、正面の側から見た図で、斜線部１０６ＢＢはＢ−Ｂ断面を表している。
【００５８】
図１（ｇ）および図２（ａ）〜図２（ｅ）に示す様に、表示板支持部材１００は、左外側面１０１、右外側面１０２、円形陥凹部１０３、窓部側外側面１０４、表示板装填部１０５を備えており、表示板装填部１０５は、窓部壁１０５ａ、対向壁１０５ｂ、間壁１０５ｃ、表示板挿入用口１０５ｄ、表示板表示用窓部１０５ｅ、凸部１０５ｆを有している。また、対向壁１０５ｂには、隆起部１０５ｇと陥凹部１０５ｈが存在し、対向壁１０５ｂは、窓部壁１０５ａに対向する壁であり、窓部壁１０５ａと対向壁１０５ｂの間の間隙（スペース）が表示板挿入用スペースであり、表示板挿入用スペースの両側に存在する側方の溝部分が表示板スライド用溝１０５ｋである。表示板スライド用溝１０５ｋは、表示板３００を表示板挿入用スペースに挿入する際に表示板３００が沿う為の溝である。なお、表示板挿入用口１０５ｄは、表示板３００の表示板挿入用スペースへの挿入を可能とする広さを有している。
【００５９】
表示板支持部材１００は、図１（ｇ）および図２に示す様に、全体としては薄い円柱状であり、円柱の軸方向に円形陥凹部１０３と６つの表示板装填部１０５を作製した形状となっている。また、表示板支持部材１００の左外側面１０１と右外側面１０２は互いに平行な面であり、窓部側外側面１０４は左外側面１０１と右外側面１０２の両方の面に対して垂直な面となっており、表示板挿入用スペースも左外側面１０１と右外側面１０２の両方の面に対して垂直となっている。なお、窓部側外側面１０４は、表示板支持部材１００の外側面の内、特に表示板表示用窓部１０５ｅが存在する外側面のことをと言う。しかし、表示板支持部材の外側面が曲面の場合、例えば、球体の外側面などの場合、窓部側外側面と他の外側面の間に明確に境界がなく、互いに垂直でない場合も存在する。また、表示板支持部材の左外側面と右外側面が互いに平行な面でない場合も存在する。
【００６０】
表示板挿入用スペースは、表示板３００を収納する為のスペースであり、表示板挿入用口１０５ｄに続く位置に存在し、表示板装填部１０５の有する窓部壁１０５ａと対向壁１０５ｂの間の間隙（スペース）であるが、図１（ｇ）に示す様に、表示板装填部１０５は、表示板挿入用スペースの両側に間壁１０５ｃを有している。間壁１０５ｃは、窓部壁１０５ａと対向壁１０５ｂをつなぐ間の壁であり、表示板スライド用溝１０５ｋの底となる部分であるが、間壁１０５ｃは、必ず必要な訳ではなく、窓部壁１０５ａと対向壁１０５ｂが、直接に鋭角につながった状態や、直接に湾曲面でつながった状態などでも構わない。つまり、溝の底は平面でなくても構わない。後述する他の表示板支持部材においても同様である。なお、表示板挿入用スペースを形成する壁の内、表示板表示用窓部１０５ｅが存在する側の壁が窓部壁１０５ａであり、窓部壁１０５ａと向かい合う壁が対向壁１０５ｂである。
【００６１】
表示板挿入用口１０５ｄは、表示板３００を表示板挿入用スペースに挿入する為の入口であり、図１および図２に示す様に、表示板挿入用スペースの両端に存在し、表示板表示用窓部１０５ｅとは異なる位置で、表示板支持部材１００の左外側面１０１と右外側面１０２に開口している。これにより、表示板支持部材１００の左外側面１０１の側からも、右外側面１０２の側からも、表示板装填部１０５の表示板挿入用スペースへの表示板３００の挿入が可能であり、表示板３００の装填後は、左外側面１０１の側からも、右外側面１０２の側からも表示板３００の抜去が可能となる。
【００６２】
表示板表示用窓部１０５ｅは、表示板装填部１０５に装填された表示板３００の表示面を、窓部側外側面１０４の外方から認識する為の窓となる部分であり、図１（ｇ）、図２（ａ）、図２（ｃ）、図２（ｄ）に示す様に、表示板挿入用スペースから窓部側外側面１０４に至る切欠部、つまり、窓部壁１０５ａから窓部側外側面１０４に至る切欠部となっている。
【００６３】
表示板スライド用溝１０５ｋは、窓部壁１０５ａと対向壁１０５ｂの間の間隙（スペース）である表示板挿入用スペースの両側に存在する側方の溝部分であり、表示板３００を表示板挿入用スペースに挿入する際に表示板３００が沿う為の溝である。つまり、表示板装填部１０５の両側の表示板スライド用溝１０５ｋの間の空間が表示板挿入用スペースであり、表示板３００は、表示板挿入用口１０５ｄから、表示板スライド用溝１０５ｋに沿いながら、スライド式に表示板装填部１０５に装填されることになる。
【００６４】
凸部１０５ｆは、表示板挿入用スペースの両側の表示板スライド用溝１０５ｋの底の窓部壁１０５ａの側の対向する位置にそれぞれ存在し、表示板挿入用スペースに装填された表示板３００と嵌合する為の表示板嵌合用凸部を形成する凸部である。また、凸部１０５ｆは、表示板３００の表示板挿入用スペースへの装填時に表示板の少なくとも一部が通過する位置に存在することにより嵌合が可能となる。
【００６５】
図２（ｄ）は、表示板支持部材１００のＡ−Ａ断面を示す図であり、Ａ−Ａ断面は、表示板支持部材１００の厚みの半分の位置での断面となっている。なお、ここで言う表示板支持部材１００の厚みとは、左外側面１０１と右外側面１０２の間の厚みことである。
【００６６】
図２（ｄ）に示す様に、斜線で表された断面１０６ＡＡには、凸部１０５ｆの断面が描かれている。つまり、凸部１０５ｆは、表示板スライド用溝１０５ｋの両端に存在する表示板挿入用口１０５ｄの間の中間に位置しており、表示板支持部材１００の厚みの半分の位置に位置している。
【００６７】
また、表示板支持部材１００の各表示板装填部１０５は、図２に示した様に、左右対称形状、つまり、Ａ−Ａ断面において鏡像関係となっている。
【００６８】
また、対向壁１０５ｂに存在する陥凹部１０５ｈは、隆起部１０５ｇの存在により相対的に陥凹部となっている部分であると言うことも出来る。
【００６９】
図３（ａ）〜図３（ｆ）は、表示板装填物１０の構成要素である表示板３００を示す図であり、図３（ａ）は平面図（上面図）、図３（ｂ）は左側面図、図３（ｃ）は正面図（前面図）、図３（ｄ）は右側面図、図３（ｅ）は底面図（下面図）、図３（ｆ）は右前上方から見た斜視図である。
【００７０】
図３（ａ）は、上面に異なる表記がなされた表示板３００の平面図（上面図）であり、「０」、「１」、「２」、「３」、「４」、「５」、「６」、「７」、「８」、「９」の異なった表記がなされた表示板３００の例を示している。
【００７１】
図３（ａ）に示す各表示板３００はそれぞれ、表示面３０１、挿入時側方部３０５と切欠部３０６を有している。
【００７２】
図３（ｅ）は、表示板３００の底面図（下面図）であり、裏面３０２は、表示面３０１の裏の面となっている。
【００７３】
図３（ｆ）は、図３（ａ）に示した上面に、「０」、「１」、「２」、「３」、「４」、「５」、「６」、「７」、「８」、「９」の異なる表記がなされた表示板３００の斜視図である。
【００７４】
なお、図３（ａ）〜図３（ｆ）に示す表示板３００は、金属やプラスチックなどの変形復元能を有している物で形成されている。また、後述する他の表示板も、変形復元能を有しているものとして説明する。
【００７５】
図４は、例として、上面に「０」の表記がなされた表示板３００を用いて、表示板支持部材１００に対する表示板３００の装填過程を説明するための図である。
【００７６】
また、図４は、表示板支持部材１００に表示板３００を装填する過程における、表示板３００の変形能と復元能による形状変化について説明する図でもあるが、図示の都合上、図１〜図３における大きさよりも、やや縮小して描いている
【００７７】
図４（ａ１）は、表示板支持部材１００の表示板装填部１０５に、表示板３００を挿入する前の状態を、右前上方から見た斜視図である。
【００７８】
図４（ａ２）は、表示板支持部材１００の表示板装填部１０５に、表示板３００を挿入する前の状態を、正面（前面）から見た図である。
【００７９】
なお、図４（ａ１）と図４（ａ２）は、同じ状態を異なる方向から見た図となっている。
【００８０】
図４（ａ１）および図４（ａ２）に示す表示板３００は、「０」と記されている表示面３０１、表示板支持部材１００の表示板装填部１０５に対して挿入される時に、前方部分となる挿入時前方部３０３、後方部分となる挿入時後方部３０４、側方部分になる挿入時側方部３０５、装填時に表示板支持部材１００の表示板装填部１０５が有する凸部１０５ｆが形成する表示板嵌合用凸部と嵌合する為の、表示板支持部材用嵌合部を形成する切欠部３０６を備えている。
【００８１】
図４（ｂ１）は、表示板装填部１０５に表示板３００を、挿入時前方部３０３と挿入時後方部３０４の間の長さの４分の１程度まで挿入した状態である。この状態では、挿入時前方部３０３は、まだ凸部１０５ｆに行き当たっていない状態である為、表示板３００は、まだ変形する必要がない。
【００８２】
図４（ｂ２）は、表示板装填部１０５に表示板３００を、挿入時前方部３０３と挿入時後方部３０４の間の長さの半分程度まで挿入した状態である。
【００８３】
図４（ｂ１）に示した状態から、表示板３００を更に押し込むと、挿入時前方部３０３から挿入時側方部３０５にかけての部分が、凸部１０５ｆに行き当たった後、両側の挿入時側方部３０５の間の中央付近は、円形陥凹部１０３側への変位が隆起部１０５ｇの存在により止められるが、挿入時側方部３０５の周辺部は、陥凹部１０５ｈのスペースを利用して、凸部１０５ｆを避けて、円形陥凹部１０３側に変位するので、表示板３００は、図４（ｂ２）に示す様に、一方の挿入時側方部３０５からもう一方の挿入時側方部３０５にかけて、表示面３０１側が凸状となる様に変形する。
【００８４】
図４（ｂ３）は、図４（ｂ２）に示した状態から更に押し込まれて装填が完了した状態である。
【００８５】
図４（ｂ３）に示す様に、表示板３００の切欠部３０６が、表示板装填部１０５の凸部１０５ｆと嵌合する位置まで来ると、表示板３００の復元能により、挿入時側方部３０５が、陥凹部１０５ｈおよび円形陥凹部１０３から離れる方向に復位するので、切欠部３０６と凸部１０５ｆは嵌合することになる。つまり、表示板３００の表示板支持部材用嵌合部と表示板支持部材１００の表示板嵌合用凸部が嵌合することになる。
【００８６】
図４（ｃ１）は、図４（ｂ１）と同じ状態を正面（前面）から見た図である。
【００８７】
図４（ｃ２）は、図４（ｂ２）と同じ状態を正面（前面）から見た図である。
【００８８】
図４（ｃ３）は、図４（ｂ３）と同じ状態を正面（前面）から見た図である。
【００８９】
図４（ｄ１）は、図４（ｃ１）に示した状態のＣ−Ｃ断面を右方から見た図である。
【００９０】
図４（ｄ２）は、図４（ｃ２）に示した状態のＤ−Ｄ断面を右方から見た図である。
【００９１】
図４（ｄ３）は、図４（ｃ３）に示した状態のＥ−Ｅ断面を右方から見た図である。
【００９２】
ここで、表示板支持部材１００の表示板装填部１０５への表示板３００の装填手順を具体的に説明する。
【００９３】
最初に第一段階として、表示板３００の表示面３０１が表示板装填部１０５の対向壁１０５ｂとは反対側に向くようにして、表示板表示用窓部１０５ｅ側に位置するようにした上で、表示板支持部材１００の表示板装填部１０５の表示板挿入用口１０５ｄに表示板３００の挿入時前方部３０３を合わせる。
【００９４】
次に第二段階として、表示板３００の挿入時前方部３０３から挿入時側方部３０５にかけての部分が、凸部１０５ｆに行き当たるまで挿入する。
【００９５】
第三段階として、挿入時前方部３０３の間壁１０５ｃの近くの部分から挿入時側方部３０５にかけての部分が、凸部１０５ｆの傾斜する斜面を乗り越えるように力を加えて、更に挿入する。
【００９６】
最後に第四段階として、切欠部３０６と凸部１０５ｆが一致する所まで、更に挿入する。
【００９７】
以上の手順により、表示板３００の表示板装填部１０５への装填が完了する。
【００９８】
ここで、もし、凸部１０５ｆ側に斜面が無い場合には、表示板３００側の挿入時前方部３０３から挿入時側方部３０５にかけての部分に斜面を形成すれば、同様の手順で、表示板支持部材１００の表示板装填部１０５へ、表示板３００を装填することが可能である。この場合、第三段階は、「挿入時前方部３０３から挿入時側方部３０５にかけての斜面が凸部１０５ｆを乗り越えるように力を加えて、更に挿入する。」となる。
【００９９】
また、表示板支持部材１００の表示板装填部１０５に装填されて、図４（ｂ３）、図４（ｃ３）および図４（ｄ３）に示す状態となった表示板３００を、表示板支持部材１００の表示板装填部１０５から取り出す場合には、以下の手順で行うことが可能である。
【０１００】
最初に第一段階として、表示板支持部材１００の左外側面１０１と右外側面１０２に開口する表示板挿入用口１０５ｄのどちらか一方の側から、もう一方の側の表示板挿入用口１０５ｄに向けて、表示板３００を、切欠部３０６が凸部１０５ｆの傾斜する斜面を乗り越えるように押す。
【０１０１】
次に第二段階として、そのまま、表示板３００が、表示板装填部１０５から完全に脱出するまで押し出すか、あるいは、表示板挿入用口１０５ｄから一部脱出した表示板３００を抜き出す。
【０１０２】
上記手順にて、表示板３００を、表示板支持部材１００から取り出すことが可能である。
【０１０３】
つまり、図１（ｇ）および図２（ａ）〜図２（ｅ）に示す様に、表示板支持部材１００の凸部１０５ｆにおいては、窓部壁１０５ａの側の凸部１０５ｆの基部から頂部に向けての立ち上がりの傾斜角度が緩やかな為、図４（ｄ３）の様に、表示板支持部材１００の凸部１０５ｆと表示板３００の切欠部３０６が嵌合していても、どちらか一方の表示板挿入用口１０５ｄから表示板３００を、もう一方の表示板挿入用口１０５ｄに向けて押すことにより、表示板支持部材１００と表示板３００の嵌合を外すことが可能となる。
【０１０４】
具体的に説明すると、どちらか一方の表示板挿入用口１０５ｄから表示板３００を、もう一方の表示板挿入用口１０５ｄに向けて押した場合、表示板３００が変形復元能を有しており、凸部１０５ｆの傾斜角度が緩やかな為、凸部１０５ｆの傾斜に沿って、表示板３００の切欠部３０６の縁から挿入時側方部３０５にかけての部分が、陥凹部１０５ｈおよび円形陥凹部１０３の側に変位することで、表示板支持部材１００と表示板３００の嵌合が外れる。
【０１０５】
また、表示板３００は、図３（ａ）〜図３（ｆ）に示した様に、表示面３０１の表示内容を除くと、左右および前後が対称形状の為、挿入時後方部３０４と挿入時前方部３０３を入れ換えても挿入が可能である。つまり、図３（ｂ）に示した表示板３００の左側面側からでも、図３（ｄ）に示した表示板３００の右側面側からでも、表示板３００を表示板装填部１０５に挿入することが可能である。
【０１０６】
また、表示板３００は、図３（ａ）〜図３（ｆ）に示した様に、表示面３０１の表示内容を除くと表裏対称形状の為、表示面３０１と裏面３０２を入れ換えても挿入が可能である。つまり、裏面３０２に、目印となる数字、文字、記号、絵、色、模様などを付けることにより、裏面を表示面として利用することが可能となる。
【０１０７】
図５（ａ）、図５（ｂ）、図５（ｃ）は順に、図４（ｃ１）に示した状態のＣ−Ｃ断面、図４（ｃ２）に示した状態のＤ−Ｄ断面、図４（ｃ３）に示した状態のＥ−Ｅ断面を右前上方から見た斜視図であるが、詳細が分り易い様に、図４（ｄ１）、図４（ｄ２）および図４（ｄ３）に比べ、拡大して描いている。
【０１０８】
例えば、ポリアセタールを用いて、左外側面および右外側面の最大径が２４ｍｍ、左外側面と右外側面の間の厚みが６ｍｍの表示板支持部材１００を作製し、硬質塩化ビニールを用いて、挿入時前方部から挿入時後方部にかけての長さが６ｍｍ、両側の挿入時側方部の間の長さが７ｍｍ、表示面と裏面の間の厚みが０．５ｍｍの表示板３００を作製した場合、図４を用いて説明した表示板支持部材１００に対する表示板３００の着脱を、容易に繰り返し行うことが可能である。
【０１０９】
次に、図６と図７は、表示板支持部材１００とは異なる別の表示板支持部材１１０を示す図である。
【０１１０】
図６（ａ）、図６（ｂ）、図６（ｃ）、図６（ｄ）は順に、表示板支持部材１１０の平面図（上面図）、左側面図、正面図（前面図）、右側面図であり、図６（ｅ）は、Ｆ−Ｆ断面を、右側面の側から見た図で、斜線部１１６ＦＦはＦ−Ｆ断面を表しており、図６（ｆ）は、Ｇ−Ｇ断面を、正面の側から見た図で、斜線部１１６ＧＧはＧ−Ｇ断面を表している。なお、Ｆ−Ｆ断面は、表示板支持部材１１０の厚みの半分の位置での断面となっている。
【０１１１】
図７（ａ）は、表示板支持部材１１０のＦ−Ｆ断面を右前上方から見た図であり、図７（ｂ）は、表示板支持部材１１０のＧ−Ｇ断面を右前上方から見た図である。
【０１１２】
また、図７（ｃ）と図７（ｄ）は、共に、表示板支持部材１１０を右前上方から見た斜視図であるが、少し異なる位置から見た図となっており、図７（ｅ）は、表示板支持部材１１０を右やや下方から見た図である。
【０１１３】
図６（ａ）〜図６（ｆ）と図７（ａ）〜図７（ｅ）に示す様に、表示板支持部材１１０は、表示板支持部材１００と同様に、左外側面１１１、右外側面１１２、円形陥凹部１１３、窓部側外側面１１４、表示板装填部１１５を備えており、表示板装填部１１５は、窓部壁１１５ａ、対向壁１１５ｂ、間壁１１５ｃ、表示板挿入用口１１５ｄ、表示板表示用窓部１１５ｅ、凸部１１５ｆを有している。また、対向壁１１５ｂには、隆起部１１５ｇと陥凹部１１５ｈが存在し、対向壁１１５ｂは、窓部壁１１５ａに対向する壁であり、窓部壁１１５ａと対向壁１１５ｂの間の間隙（スペース）が表示板挿入用スペースであり、表示板挿入用スペースの両側に存在する側方の溝部分が表示板スライド用溝１１５ｋである。表示板スライド用溝１１５ｋは、表示板３００を表示板挿入用スペースに挿入する際に表示板３００が沿う為の溝である。なお、表示板挿入用口１１５ｄは、表示板３００の表示板挿入用スペースへの挿入を可能とする広さを有している。
【０１１４】
表示板支持部材１１０が有する表示板表示用窓部１１５ｅは、表示板支持部材１００が有する表示板表示用窓部１０５ｅとは異なり、孔となっている。つまり、表示板表示用窓部１０５ｅは、切欠部となっているが、表示板表示用窓部１１５ｅは、孔となっており、開窓孔となっている。
【０１１５】
表示板支持部材１１０は、表示板支持部材１００とは異なり、窓部側外側面１１４の左外側面１１１付近および窓部側外側面１１４の右外側面１１２付近が共に周方向につながった形状となっている。
【０１１６】
なお、表示板表示用窓部以外の形状において、表示板支持部材１１０は、表示板支持部材１００と同じとなっており、表示板支持部材１００と同様に、表示板支持部材１１０は、表示板３００の装填が可能であり、挿入および抜去の方法も同じである。
【０１１７】
また、表示板支持部材１１０の各表示板装填部１１５は、図６に示す様に、左右対称形状、つまり、Ｆ−Ｆ断面において鏡像関係となっている。
図８と図９は、表示板支持部材１００および表示板支持部材１１０とは異なる別の表示板支持部材１３０と、表示板支持部材１３０に装填することが可能な表示板３２０と表示板３３０を示す図である。
【０１１８】
図８（ａ）、図８（ｂ）、図８（ｃ）、図８（ｄ）は順に、表示板支持部材１３０の平面図（上面図）、左側面図、正面図（前面図）、右側面図である。また、図８（ｅ）は、Ｊ−Ｊ断面を、右側面の側から見た図で、斜線部１３６ＪＪはＪ−Ｊ断面を表しており、図８（ｆ）は、Ｋ−Ｋ断断面を、正面の側から見た図で、斜線部１３６ＫＫはＫ−Ｋ断面を表している。なお、Ｊ−Ｊ断面は、表示板支持部材１３０の厚みの半分の位置での断面となっている。
【０１１９】
図９（ａ）は、Ｊ−Ｊ断面を右前上方から見た図であり、図９（ｂ）は、Ｋ−Ｋ断面を右前上方から見た図である。また、図９（ｃ）は、表示板支持部材１３０を右前上方から見た斜視図であり、図９（ｄ）は、表示板支持部材１３０を右後上方から見た斜視図である。
【０１２０】
図８（ａ）〜図８（ｆ）と図９（ａ）〜図９（ｄ）に示す様に、表示板支持部材１３０は、左外側面１３１、右外側面１３２、円形陥凹部１３３、窓部側外側面１３４、表示板装填部１３５を備えており、表示板装填部１３５は、窓部壁１３５ａ、対向壁１３５ｂ、間壁１３５ｃ、表示板挿入用口１３５ｄ、表示板表示用窓部１３５ｅ、凸部１３５ｆを有している。また、対向壁１３５ｂは、窓部壁１３５ａに対向する壁であり、窓部壁１３５ａと対向壁１３５ｂの間の間隙（スペース）が表示板挿入用スペースであり、表示板挿入用スペースの両側に存在する側方の溝部分が表示板スライド用溝１３５ｋである。表示板スライド用溝１３５ｋは、表示板を表示板挿入用スペースに挿入する際に表示板が沿う為の溝である。なお、表示板挿入用口１３５ｄは、表示板の表示板挿入用スペースへの挿入を可能とする広さを有している。また、各表示板装填部１３５は、左右対称形状、つまり、Ｊ−Ｊ断面において鏡像関係となっている。
【０１２１】
図８および図９（ａ）〜図９（ｄ）に示す様に、表示板スライド用溝１３５ｋは、表示板表示用窓部１３５ｅの近く程、溝の幅が広くなっている。つまり、対向壁１３５ｂは、突起状の凸部１３５ｆを除き平坦であるが、窓部壁１３５ａは、表示板表示用窓部１３５ｅに近づく程、対向壁１３５ｂから離れる様に、表示板表示用窓部１３５ｅの側に傾斜している。これは、凸部１３５ｆにより、表示板の両側の挿入時側方部の間の中央部が表示板表示用窓部１３５ｅ側に凸状に湾曲し易い様にするためである。
【０１２２】
図９（ｅ）〜図９（ｈ）は、表示板支持部材１３０に装填することが可能な表示板３２０を示す図であり、図９（ｉ）〜図９（ｋ）は、表示板支持部材１３０に装填することが可能な異なる形状の別の表示板３３０を示す図である。
【０１２３】
図９（ｅ）、図９（ｆ）、図９（ｇ）と図９（ｈ）は順に、表示板３２０の平面図（上面図）、底面図（下面図）、Ｌ−Ｌ断面図とＭ−Ｍ断面図である。
【０１２４】
図９（ｅ）〜図９（ｈ）に示す様に、表示板３２０は、表示面３２１、裏面３２２と凹部３２７を有している。また、図４（ａ１）と図４（ａ２）に示した表示板３００と同様に、表示板支持部材の表示板装填部に挿入される時に前方となる部分が挿入時前方部３２３であり、挿入時に後方となる部分が挿入時後方部、挿入時に側方になる部分が挿入時側方部である。なお、図９（ｅ）においては、右側面側が挿入時前方部３２３となっているが、表示板３２０は、左右および前後が対称形状となっているので、左側面側を挿入時前方部とすることも可能である。また、表示面３２１には、例として「０」が記されている。
【０１２５】
表示板３２０は、裏面３２２に凹部３２７を有しており、凹部３２７は、凸部１３５ｆが形成する表示板嵌合用凸部と嵌合する為の表示板支持部材用嵌合部を形成している。また、凹部３２７は、窪み状（穴状）の凹部となっている。なお、本発明内においては、穴とは貫通せずに行き止まりの状態を言い、孔とは貫通している状態を言う。
【０１２６】
図９（ｉ）、図９（ｊ）と図９（ｋ）は順に、表示板３３０の平面図（上面図）、底面図（下面図）と正面図（前面図）である。
【０１２７】
図９（ｉ）〜図９（ｋ）に示す様に、表示板３３０は、表示面３３１、裏面３３２と凹部３３７を有している。また、図４（ａ１）と図４（ａ２）に示した表示板３００と同様に、表示板支持部材の表示板装填部に挿入される時に前方となる部分が挿入時前方部３３３であり、挿入時に後方となる部分が挿入時後方部、挿入時に側方になる部分が挿入時側方部である。なお、図９（ｉ）においては、右側面側が挿入時前方部３３３となっているが、表示板３３０は、左右および前後が対称形状となっているので、左側面側を挿入時前方部とすることも可能である。また、表示面３３１には、例として「０」が記されている。
【０１２８】
表示板３３０は、裏面３３２に凹部３３７を有しており、凹部３３７は、凸部１３５ｆが形成する表示板嵌合用凸部と嵌合する為の表示板支持部材用嵌合部を形成している。また、凹部３３７は、溝形状の凹部となっている。
【０１２９】
なお、図９（ｅ）〜図９（ｈ）に示す表示部材３２０と、図９（ｉ）〜図９（ｋ）に示す表示板３３０は、表示板３００と同様に、金属やプラスチックなどの変形復元能を有するもので作製されている。
【０１３０】
前述の表示板支持部材１００と表示板支持部材１１０は、表示板嵌合用凸部を形成する凸部を、表示板スライド用溝の底の窓部壁に有していたが、表示板支持部材１３０は、対向壁１３５ｂの中央付近に凸部１３５ｆを有している。
【０１３１】
つまり、表示板嵌合用凸部を形成する凸部は、窓部壁に存在しても、対向壁に存在しても構わない。
【０１３２】
なお、表示板支持部材１００と表示板支持部材１１０の場合は、表示板が有する変形能により、表示板の挿入時前方部の間壁の近くの部分から挿入時側方部に至る部分が変形しながら、表示板支持部材の表示板嵌合用凸部を形成する凸部を乗り越えて嵌合位置まで挿入されると、表示板が有する復元能で嵌合することができたが、表示板支持部材１３０の場合は、表示板が有する変形能により、表示板３２０や表示板３３０などの表示板が、まず、挿入時前方部の中央付近を中心として変形しながら、表示板支持部材の表示板嵌合用凸部を形成する凸部を乗り越えて、表示板の凹部が嵌合位置まで挿入されると、表示板が有する復元能で嵌合することができる。
【０１３３】
図１０は、表示板支持部材１１０とは、異なる別の表示板支持部材１４０を示す図である。
【０１３４】
図１０（ａ）、図１０（ｂ）、図１０（ｃ）、図１０（ｄ）と図１０（ｇ）は順に、表示板支持部材１４０の平面図（上面図）、左側面図、正面図（前面図）、右側面図と右前上方から見た斜視図である。また、図１０（ｅ）は、Ｎ−Ｎ断面を、正面の側から見た図で、斜線部１４６はＮ−Ｎ断面を表しており、図１０（ｆ）は、Ｎ−Ｎ断面を右前上方から見た図である。
【０１３５】
図１０（ａ）〜図１０（ｇ）に示す様に、表示板支持部材１４０は、左外側面１４１、右外側面１４２、円形陥凹部１４３、窓部側外側面１４４、表示板装填部１４５を備えており、表示板装填部１４５は、窓部壁１４５ａ、対向壁１４５ｂ、間壁１４５ｃ、表示板挿入用口１４５ｄ、表示板表示用窓部１４５ｅ、凸部１４５ｆを有している。また、対向壁１４５ｂには、表示板支持部材１１０と同様に、隆起部と陥凹部が存在し、対向壁１４５ｂは、窓部壁１４５ａに対向する壁であり、窓部壁１４５ａと対向壁１４５ｂの間の間隙（スペース）が表示板挿入用スペースであり、表示板挿入用スペースの両側に存在する側方の溝部分が表示板スライド用溝１４５ｋである。
【０１３６】
図１０に示す、表示板支持部材１４０は、表示板支持部材１１０に似た形状をしているが、表示板挿入用口１４５ｄを、左側面側に有していない点と、表示板押出用孔１４７を左側面側に有している点で異なる。
【０１３７】
表示板支持部材１００、表示板支持部材１１０と表示板支持部材１３０においては、左外側面と右外側面のどちら側からでも、表示板挿入用口から表示板装填部に表示板の装填が可能であり、また、左外側面と右外側面のどちら側からでも表示板の押し出しと取り出しが可能である点では、便利であるが、一方の表示板挿入用口から、表示板を強く押し込んだ場合に、勢い余って、反対側の表示板挿入用口に押し出してしまう恐れがある。しかし、表示板支持部材１４０の場合、各表示板装填部１４５が有する表示板挿入用口１４５ｄが、右外側面１４２の側にしか存在せず、反対側の左外側面１４１には壁があり、行き止まりとなっている為、表示板を表示板挿入用口１４５ｄから強く押し込んでも、勢い余って反対側の左外側面１４１の側に押し出してしまう恐れがない。
【０１３８】
また、表示板支持部材１００、表示板支持部材１１０と表示板支持部材１３０においては、左外側面と右外側面の両側に表示板挿入用口を有しているので、一方の表示板挿入用口から、装填後の表示板を取り出したい場合には、反対側の表示板挿入用口から取り出したい方の表示板挿入用口に向けて、表示板を押し出して取り出せば良かったが、表示板支持部材１４０の場合は、右外側面１４２の側にしか、表示板挿入用口１４５ｄを有していない為に、表示板の表示板装填部１４５への装填後の取出しが難しくなる。その為、表示板支持部材１４０は、装填後に表示板を表示板挿入用口１４５ｄに向けて押し出す為の表示板押出用孔１４７を有している。表示板の表示板装填部１４５への装填後の取出しは、ピンなどの棒状の物を用いて、表示板押出用孔１４７から表示板挿入用口１４５ｄに向けて、表示板を押し出すことにより可能となる。
【０１３９】
また、表示板支持部材１４０に使用可能な表示板であるが、表示板支持部材１４０の表示板装填部１４５には、表示板３００と同様の形状の表示板を使用することが可能である。具体的に説明すると、表示板挿入用口１４５ｄの幅や表示板挿入用スペースの奥行きに合わせて、表示板の両側の挿入時側方部の間の長さと、挿入時前方部と挿入時後方部の間の長さを決定し、表示板装填部１４５が有する凸部１４５ｆの位置や形状に応じて、表示板の切欠部を作製すれば良く、表示面と裏面の間の厚みに関しても、表示板挿入用スペースの形状に合わせて決定すれば良い。
【０１４０】
また、表示板支持部材１４０は、表示板支持部材１４０が有する表示板押出用孔１４７の代わりに、表示板を押し出す為に利用できる表示板押出用溝を有していても構わない。例えば、表示板押出用孔１４７の存在する位置から、窓部側外側面１４４に至る溝である表示板押出用溝を有していれば、薄い板状の物を用いて、表示板押出用溝から表示板挿入用口１４５ｄに向けて、表示板を押すことにより、表示板と表示板支持部材の嵌合を外して、表示板を表示板支持部材から押し出して、取り出すことが可能となる。
【０１４１】
図１１は、基部から頂部に向けての傾斜角度が緩やかな上り傾斜とはなっていない凸部を有する表示板装填部を備える表示板支持部材の例を示す図である。
【０１４２】
図１１（ａ１）は、表示板支持部材１６０の右側面図であり、図１１（ａ２）は、Ｒ−Ｒ断面図である。また、図１１（ａ３）は、Ｓ−Ｓ断面を、正面側のやや下方から見た図である。
【０１４３】
図１１（ｂ１）は、表示板支持部材１７０の右側面図であり、図１１（ｂ２）は、Ｔ−Ｔ断面図である。
【０１４４】
図１１（ｃ１）は、表示板支持部材１８０の右側面図であり、図１１（ｃ２）は、Ｕ−Ｕ断面図である。
【０１４５】
図１１（ａ１）〜図１１（ａ３）に示す様に、表示板支持部材１６０は、表示板装填部に凸部１６５ｆを有している。
【０１４６】
表示板支持部材１６０の凸部１６５ｆは、半円柱状であり、基部から頂部に向けては、表示板装填部の窓部壁に対して垂直となっている。
【０１４７】
図１１（ｂ１）と図１１（ｂ２）に示す様に、表示板支持部材１７０は、表示板装填部に凸部１７５ｆを有している。
【０１４８】
表示板支持部材１７０の凸部１７５ｆは、逆の傾斜、つまり、基部から頂部に向けて、オーバーハングとなっている。
【０１４９】
図１１（ｃ１）と図１１（ｃ２）に示す様に、表示板支持部材１８０は、表示板装填部に凸部１８５ｆを有している。
【０１５０】
表示板支持部材１８０の凸部１８５ｆは、基部から頂部に向けての傾斜角度が急であるが、オーバーハングとはなっていない。
【０１５１】
凸部１６５ｆ、凸部１７５ｆや凸部１８５ｆなどで形成される表示板嵌合用凸部の場合、表示板の表示板支持部材用嵌合部の側に、表示板を押すことにより、表示板支持部材の表示板嵌合用凸部を乗り越えることが可能な程度の傾斜がなければ、表示板を押すことにより、表示板の表示板支持部材用嵌合部と、表示板支持部材の表示板嵌合用凸部の嵌合を外すことは出来なくなる。
【０１５２】
表示板を表示板装填部に、一度装填したら外す必要がない場合、又は一度装填したら外したくない場合には、表示板の表示板支持部材用嵌合部の側に、凸部１６５ｆ、凸部１７５ｆや凸部１８５ｆなどで形成される表示板嵌合用凸部を乗り越えることが可能な程度の傾斜を付けなければ良い。また、この場合には、表示板挿入用口は、挿入時に限り用いられる為、挿抜用口とはならない。
【０１５３】
しかし、表示板の表示板支持部材用嵌合部の側に、凸部１６５ｆ、凸部１７５ｆや凸部１８５ｆなどで形成される表示板嵌合用凸部を乗り越えることが可能な程度の傾斜を付けた場合には、表示板挿入用口が表示板挿入用スペースの両側にあれば、表示板を一方の表示板挿入用口から、もう一方の表示板挿入用口に向けて押すことにより、表示板支持部材用嵌合部と表示板嵌合用凸部の嵌合を外し、表示板を表示板装填部から取り出すことが可能となるので、表示板挿入用口は、挿入時にも抜去時にも用いられ、挿抜用口となる。
【０１５４】
なお、凸部１６５ｆ、凸部１７５ｆや凸部１８５ｆなどで形成される表示板嵌合用凸部の場合、表示板の表示板装填部への挿入開始から嵌合完了までの挿入過程において、表示板の表示板嵌合用凸部に行き当たる部分に、表示板支持部材側の表示板嵌合用凸部を乗り越えることが可能な程度の傾斜を付けることで、表示板の表示板支持部材に対する押し込んでの装填が可能となる。
【０１５５】
図１２は、表示板支持部材１１０と基本的な構造は同じであるが、表示板支持部材の外方から認識される為の表示目的ではない表示板を装填することが可能な表示板支持部材１９０を示す図である。
【０１５６】
図１２（ａ）、図１２（ｂ）、図１２（ｃ）、図１２（ｄ）、図１２（ｅ）は順に、表示板支持部材１９０の平面図（上面図）、右前上方から見た斜視図、左側面図、正面図（前面図）、右側面図である。また、図１２（ｆ）は、Ｗ−Ｗ断面を、右側面の側から見た図で、斜線部１９６ＷＷはＷ−Ｗ断面を表しており、図１２（ｇ）は、Ｗ−Ｗ断面を右前上方から見た図であり、図１２（ｈ）は、Ｘ−Ｘ断面を、正面の側から見た図で、斜線部１９６ＸＸはＸ−Ｘ断面を表している。なお、Ｗ−Ｗ断面は、表示板支持部材１９０の厚みの半分の位置での断面となっている。
【０１５７】
図１２（ａ）〜図１２（ｈ）に示す様に、表示板支持部材１９０は、左外側面１９１、右外側面１９２、円形陥凹部１９３、窓部側外側面１９４、表示板装填部１９５、表示板非表示装填部１９８を備えている。表示板装填部１９５は、表示板装填部１１５と同様に、窓部壁、対向壁、間壁、表示板挿入用口、表示板表示用窓部１９５ｅ、凸部１９５ｆを有しており、対向壁には、隆起部と陥凹部が存在し、窓部壁と対向壁の間の間隙の両側に存在する側方の溝部分が表示板スライド用溝１９５ｋである。また、表示板非表示装填部１９８は、凸部１９８ｆを有しており、円形陥凹部１９３の側の壁には、隆起部と陥凹部が存在する。なお、窓部壁、対向壁、間壁、表示板挿入用口、隆起部および陥凹部などについては、図示を省略している。また、各表示板装填部１９５および各表示板非表示装填部１９８は、左右対称形状、つまり、Ｗ−Ｗ断面において鏡像関係となっている。
【０１５８】
表示板支持部材１９０は、図３（ａ）〜図３（ｆ）などに示した表示板３００を装填して表示する為の表示板装填部１９５を６つ有しているが、それ以外に、表示板を表示する目的ではない表示板の装填部である表示板非表示装填部１９８を６つ有している。表示板非表示装填部１９８は、表示板装填部１９５と同様に、左外側面１９１と右外側面１９２に表示板挿入用口を有し、円形陥凹部１９３の側の壁ではなく、窓部側外側面１９４の側の壁の間壁の近傍であり、左外側面１９１と右外側面１９２の間の中ほどの位置に凸部１９８ｆを有しているが、表示板表示用窓部を有していない。つまり、表示板非表示装填部１９８と表示板装填部１９５は、表示板３００の挿入および嵌合に関する基本構造は同じであるが、表示板非表示装填部１９８は、表示板装填部１９５とは異なり、表示板表示用窓部を有していない為、内部に装填した表示板の表示面を表示板支持部材１９０の外方から認識することが出来ない。
【０１５９】
表示板支持部材１９０の有する表示板非表示装填部１９８は、表示板３００の交換を目的とした予備の表示板３００を入れておくスペースとして利用することや、願い事などが記された表示板３００を込めるスペースとしての利用が可能である。
【０１６０】
具体的に説明すると、表示板支持部材の外部から、他人に認知されたくない願い事や目標、例えば、「校内数学１番」を目的とする場合に、「校」、「内」、「数」、「学」、「１」、「番」と記された表示板を、「営業部長昇進」を目標とする場合には、「営」、「業」、「部」、「長」、「昇」、「進」と記された表示板を、「全国大会優勝」を目標とする場合には、「全」、「国」、「大」、「会」、「優」、「勝」と記された表示板を表示板非表示装填部１９８に装填することが可能である。
【０１６１】
また、他人に知られると困る、恥ずかしいなどの内容の願い事や目標を表示板非表示装填部１９８に装填することも可能である。例えば、「１５Ｋｇ減量」を目標とする場合には、「１」、「５」、「Ｋ」、「ｇ」、「減」、「量」と記された表示板を、表示板非表示装填部１９８に装填することが可能である。
【０１６２】
図１３は、２つの表示板装填部形成部材から形成される表示板支持部材の例を説明する為の図である。図１３（ａ１）〜図１３（ａ４）は、表示板装填部形成部材２００Ａを様々な方向から見た図、図１３（ｂ１）〜図１３（ｂ４）は、表示板装填部形成部材２００Ｂを様々な方向から見た図、図１３（ｃ１）〜図１３（ｃ４）は、表示板装填部形成部材２００Ａと表示板装填部形成部材２００Ｂにより形成される表示板支持部材２００を様々な方向から見た図、図１３（ｄ１）と図１３（ｄ２）は、表示板支持部材２００のＹ−Ｙ断面を異なる方向から見た図である。
【０１６３】
図１３（ａ１）、図１３（ａ２）、図１３（ａ３）、図１３（ａ４）は順に、表示板装填部形成部材２００Ａの左側面図、正面図（前面図）、右側面図、右前上方から見た斜視図である。表示板装填部形成部材２００Ａは図に示すように、左外側面２０１Ａ、円形陥凹部２０３Ａ、窓部側外側面２０４Ａ、１２個の凸部２０５ｆＡ、合せ面２０９Ａを備えている。なお、左外側面２０１Ａ側に存在する表示板挿入用口の図示は省略している。
【０１６４】
図１３（ｂ１）、図１３（ｂ２）、図１３（ｂ３）、図１３（ｂ４）は順に、表示板装填部形成部材２００Ｂの左側面図、正面図（前面図）、右側面図、右前上方から見た斜視図である。表示板装填部形成部材２００Ｂは図に示すように、右外側面２０２Ｂ、円形孔２０３Ｂ、窓部側外側面２０４Ｂ、１２個の凸部２０５ｆＢ、合せ面２０９Ｂを備えている。なお、右外側面２０２Ｂ側に存在する表示板挿入用口の図示は省略している。
【０１６５】
図１３（ｃ１）、図１３（ｃ２）、図１３（ｃ３）、図１３（ｃ４）は順に、表示板支持部材２００の左側面図、正面図（前面図）、右側面図、右前上方から見た斜視図である。表示板支持部材２００は図に示すように、６つの表示板装填部２０５を備え、各表示板装填部２０５は、表示板表示用窓部２０５ｅ、２つの凸部２０５ｆ、隆起部２０５ｇを有している。なお、左外側面、右外側面、窓部側外側面、窓部壁、対向壁、間壁、表示板挿入用口、表示板スライド用溝などの図示は省略している。また、各表示板装填部２０５が有する凸部２０５ｆは、表示板挿入用スペースの両側の表示板スライド用溝の底の窓部壁の側の対向する位置であり、表示板スライド用溝の両端に存在する表示板挿入用口の間の中間の位置に存在している。
【０１６６】
図１３（ｄ１）は、表示板支持部材２００のＹ−Ｙ断面を、正面の側から見た図で、図１３（ｄ２）は、右前上方から見た図である。なお、斜線部２０６Ａは表示板装填部形成部材２００ＡのＹ−Ｙ断面を表し、斜線部２０６Ｂは表示板装填部形成部材２００ＢのＹ−Ｙ断面を表している。
【０１６７】
図１３（ａ１）〜図１３（ａ４）に示す様に、表示板装填部形成部材２００Ａは、図１および図２に示した表示板支持部材１００を、図２（ｂ）に示したＡ−Ａ断面で切断し分割して得られる左外側面１０１の側の部分の円形陥凹部１０３の深さは変えずに、円形陥凹部１０３の円の直径を大きくした形状である。
【０１６８】
図１３（ｂ１）〜図１３（ｂ４）に示す様に、表示板装填部形成部材２００Ｂは、図１および図２に示した表示板支持部材１００を、Ａ−Ａ断面で切断し分割して得られる右外側面１０２の側の部分と同じ形状であり、合せ面２０９Ｂは、斜線部１０６ＡＡと同一形状である。
【０１６９】
図１３（ｃ１）〜図１３（ｃ４）および図１３（ｄ１）と図１３（ｄ２）に示す様に、表示板装填部形成部材２００Ａと表示板装填部形成部材２００Ｂは、合せ面２０９Ａと合せ面２０９Ｂを合せ、凸部２０５ｆＡと凸部２０５ｆＢの位置を合わせて凸部２０５ｆを形成することにより、表示板支持部材２００となる。つまり、合せ面２０９Ａと合せ面２０９Ｂは、表示板支持部材２００を形成する為に、互いに対向させて合わせる面となっている。
【０１７０】
表示板装填部形成部材２００Ａと表示板装填部形成部材２００Ｂとで形成された表示板支持部材２００の表示板装填部２０５に、図３に示した、表示板３００を装填することにより、表示板装填部形成部材２００Ａと表示板装填部形成部材２００Ｂは結合（連結）された状態となる。これは、表示板装填部２０５に、表示板３００を装填すると、表示板３００の切欠部３０６に、凸部２０５ｆが嵌まり込んだ状態となり、凸部２０５ｆＡと凸部２０５ｆＢが、表示板３００に両側から挟まれた状態となるからである。
【０１７１】
また、結合（連結）された表示板支持部材２００の表示板装填部２０５から全ての表示板３００を取り出すことにより、表示板支持部材２００は、表示板装填部形成部材２００Ａと表示板装填部形成部材２００Ｂとに分離することが可能となる。これは、表示板装填部２０５に装填された表示板３００は、変形させながら取り出すことが可能であり、全ての表示板装填部２０５から表示板３００を取り出すと、凸部２０５ｆＡと凸部２０５ｆＢを両側から挟みつけるものがなくなるからである。
【０１７２】
この様に、表示板装填部を２つの部材から形成される様にすることにより、表示板装填部を形成する２つの部材を連結する為の連結部材である連結板として、表示板を機能させることが可能となる。
【０１７３】
また、表示板装填部２０５が表示板表示用窓部２０５ｅを有していない場合、つまり、図１２に示した表示板非表示装填部１９８の様な場合でも、表示板非表示装填部を２つの部材から形成されるようにすることにより、表示板非表示装填部を形成する２つの部材を連結する為の連結板として、表示板を機能させることが可能となる。
【０１７４】
上述の様に、本発明内に記載の表示板は、２つの部材を連結する連結板として用いることが可能であるが、表示板が連結板として機能する場合、表示板の連結板として機能は、表示板の有する外部から視認可能な情報とは無関係であるので、表示板と外形状が同じ板状の部材は、外部から視認可能な情報を有していなくても、２つの部材を連結する連結板として用いることが可能である。つまり、表示板と外形状が同じ板状の部材は、全体が透明であっても連結板として機能することが可能である。
【０１７５】
また、表示板が連結板として機能する場合、２つの部材から形成される表示板装填部あるいは表示板非表示装填部は、連結板を装填する為の連結板装填部として機能し、表示板装填部を形成する表示板装填部形成部材あるいは表示板非表示装填部を形成する表示板非表示装填部形成部材は、連結板装填部を形成する為の連結板装填部形成部材として機能する。
【０１７６】
この様に、表示板装填部は連結板装填部として機能するので、表示板装填部２０５を連結板装填部２０５、表示板装填部形成部材２００Ａを連結板装填部形成部材２００Ａ、表示板装填部形成部材２００Ｂを連結板装填部形成部材２００Ｂ、表示板装填部形成部材２００Ａと表示板装填部形成部材２００Ｂから成る表示板支持部材を連結板装填部形成部材２００Ａと連結板装填部形成部材２００Ｂから成る連結板支持部材と呼ぶことが可能であり、連結板装填部２０５である表示板装填部２０５が有する表示板挿入用口を連結板挿入用口、表示板挿入用スペースを連結板挿入用スペース、表示板スライド用溝を連結板スライド用溝と呼ぶことが可能である。なお、表示板支持部材の窓部側外側面は、連結板支持部材の周方向外側面と呼ぶことが可能である。
【０１７７】
ここで、表示板装填部が有する表示板挿入用スペースを形成する壁においては、その位置関係から、表示板表示用窓部が存在する側の壁を窓部壁、窓部壁と向かい合う壁を対向壁と呼んだが、連結板装填部は連結板による連結のための装填部であり、窓部を有している必要はないので、連結板装填部が有する連結板挿入用スペースを形成する二つの互いに向かい合う壁においては、その位置関係による区別をする必要がなく、二つの壁の内のどちらか一方を第一の壁、第一の壁に対向するもう一方の壁を第二の壁と呼ぶことにする。
【０１７８】
また、装填部が、表示板装填部でもあり、連結板装填部でもある場合においては、窓部壁が第一の壁であっても第二の壁であっても構わない。それに対応して、対向壁が第二の壁であっても第一の壁であっても構わない。これは、二つの壁の内のどちらか一方を、第一の壁と呼ぶか第二の壁と呼ぶかの違いだけであり、それに対応して二つの壁の内の他方を、第二の壁と呼ぶか第一の壁と呼ぶかの違いだけで、ただ単に、呼び名の違いだけである。
【０１７９】
また、本発明内においては、連結板の連結板装填部に対する装填時に、連結板挿入用スペースの第一の壁に対向する連結板の面を第一の面と呼び、連結板挿入用スペースの第二の壁に対向する連結板の面を第二の面と呼ぶ。
【０１８０】
また、本発明内における連結板と表示板は、構造上の違いがなく外形状が同一であり、連結板が表示板でもある場合、第一の面と第二の面の内のどちらか一方が表示面となり、他方が裏面となる。
【０１８１】
また、連結板装填部が、表示板装填部の機能をも有し、表示板装填部でもある場合、表示板装填部の窓部壁と対向壁でもある第一の壁と第二の壁を、その間隙であり表示板挿入用スペースでもある連結板挿入用スペースに装填した表示板の表示面が、連結板装填部の外方から表示板表示用窓部を通して視認し易い方向に、位置させる必要があるが、連結板装填部が、連結板装填部の機能しか有さない場合、連結板挿入用スペースを形成する第一の壁と第二の壁においては、その制約がなくなる。
【０１８２】
その結果、図１３に示した２つの連結板装填部形成部材から成る円板状の連結板支持部材が備える連結板装填部が有する連結板挿入用スペースを形成する第一の壁と第二の壁は、円板状の連結板支持部材の外周方向に沿って並んでいたが、連結板装填部が、連結板装填部の機能しか有さなくて良い場合においては、第一の壁と第二の壁が、円板状の連結板支持部材の中心から放射状の方向に形成されても構わないし、外周方向や放射状の方向とは無関係に不規則な方向に形成されても構わない。つまり、連結板の連結板装填部への装填により、２つの連結板装填部形成部材が連結可能であれば、第一の壁と第二の壁の方向性に制限はない。
【０１８３】
また、図１３（ｄ１）と図１３（ｄ２）に示す様に、円形陥凹部２０３Ａの円の方が円形孔２０３Ｂの円より、直径の大きな円となっている為、円形陥凹部２０３Ａの空間に、写真やプレート等の物品を入れた状態で、表示板装填部形成部材２００Ａと表示板装填部形成部材２００Ｂを表示板３００で結合（連結）させることにより、物品を保持することが可能となる。
【０１８４】
また、表示板装填部形成部材に透明性のある素材を用いることにより、表示板装填部形成部材同士の間に写真等を挟んでから、表示板で結合（連結）し、表示板装填物を写真立て等として用いることが可能であり、円形孔は省略することが出来る。この場合、表示板支持部材用嵌合部と表示板嵌合用凸部の大きさや位置を調節すれば、合せ面同士の間に直接写真等を挟むことが出来るので、円形陥凹部を省略することも可能であり、表示板装填物の窓部側外側面やその付近に脚を付けることにより、安定して窓部側外側面を下にして表示板装填物を立てることが可能である。勿論、表示板装填物の外形状を薄い円柱状から、薄い四角柱状等にすることも可能である。
【０１８５】
図１４は、３つの表示板装填部形成部材から形成される表示板支持部材の例を示す図である。
【０１８６】
また、図１４は、３つの連結板装填部形成部材から形成される連結板支持部材の例を示す図でもある。
【０１８７】
図１４（ａ１）〜図１４（ａ４）は、表示板装填部形成部材２００Ｂａを様々な方向から見た図、図１４（ｂ１）〜図１４（ｂ４）は、表示板装填部形成部材２００Ｂｂを様々な方向から見た図、図１４（ｃ１）〜図１４（ｃ４）は、表示板装填部形成部材２００Ａ、表示板装填部形成部材２００Ｂａおよび表示板装填部形成部材２００Ｂｂにより形成される表示板支持部材２００を様々な方向から見た図である。
【０１８８】
図１４に示す様に、表示板装填部形成部材２００Ｂａと表示板装填部形成部材２００Ｂｂはそれぞれ、図１３（ｂ１）〜図１３（ｂ４）に示した表示板装填部形成部材２００Ｂを２分割して得られる形状となっている。
【０１８９】
この様に、表示板支持部材は、３つの表示板装填部形成部材から形成されても良く、更に４つ以上の表示板装填部形成部材から形成されても良い。表示板装填部形成部材のそれぞれが、表示板スライド用溝の両端に存在する表示板挿入用口を一つずつと、表示板嵌合用凸部を形成する凸部の一部を互いに対向させて合わせる面に有していれば、表示板装填部形成部材から形成される表示板支持部材の表示板装填部に表示板を装填することにより、表示板装填部形成部材同士を結合（連結）することが可能で、表示板装填部から表示板を抜去することにより分解が可能となる。
勿論、表示板装填部を形成する表示板装填部形成部材の一方が表示板挿入用口を有し、もう一方が表示板挿入用口を有していない場合には、表示板による結合（連結）のみが可能となる。しかし、図１０に示した表示板押出用孔などを、表示板挿入用口を有していない表示板装填部形成部材の側に作製することにより、分解可能にすることも出来る。
【０１９０】
この様に、表示板装填部形成部材２００Ｂａと表示板装填部形成部材２００Ａ、表示板装填部形成部材２００Ｂｂと表示板装填部形成部材２００Ａにより形成される表示板装填部は連結板装填部として機能するので、表示板装填部形成部材２００Ｂａを連結板装填部形成部材２００Ｂａ、表示板装填部形成部材２００Ｂｂを連結板装填部形成部材２００Ｂｂ、表示板装填部形成部材２００Ａを連結板装填部形成部材２００Ａと呼ぶことが可能である。
【０１９１】
図１５は、図１３に示した表示板装填部形成部材２００Ａと組み合わせることが可能な別の表示板装填部形成部材の例を示す図である。
【０１９２】
また、図１５は、図１３に示した連結板装填部形成部材２００Ａと組み合わせることが可能な別の連結板装填部形成部材の例を示す図でもある。
【０１９３】
図１５（ａ１）〜図１５（ａ４）は、表示板装填部形成部材２１０Ｂを様々な方向から見た図、図１５（ｂ１）〜図１５（ｂ４）は、表示板装填部形成部材２００Ａと表示板装填部形成部材２１０Ｂにより形成される表示板支持部材を様々な方向から見た図、図１５（ｃ１）〜図１５（ｃ４）は、表示板装填部形成部材２２０Ｂを様々な方向から見た図、図１５（ｄ１）〜図１５（ｄ４）は、表示板装填部形成部材２００Ａと表示板装填部形成部材２２０Ｂにより形成される表示板支持部材を様々な方向から見た図である。
【０１９４】
図１５（ａ１）、図１５（ａ２）、図１５（ａ３）、図１５（ａ４）は順に、表示板装填部形成部材２１０Ｂの左側面図、正面図（前面図）、右側面図、右前上方から見た斜視図である。図に示す様に、表示板装填部形成部材２１０Ｂは、右外側面２１２Ｂ、ハート型の孔２１３Ｂ、孔２１８Ｂ、合せ面２１９Ｂを備えており、図１６（ｂ１）〜図１６（ｂ４）に示した表示板装填部形成部材２００Ｂの円形孔２０３Ｂの形状をハート型の孔２１３Ｂに変更して、孔２１８Ｂを有する環状部を付加した形状となっている。なお、１２個ある凸部の図示は省略している。
【０１９５】
図１５（ｂ１）、図１５（ｂ２）、図１５（ｂ３）、図１５（ｂ４）は順に、合せ面２０９Ａと合せ面２１９Ｂおよび表示板嵌合用凸部を形成する凸部の一部同士を合致させて表示板装填部形成部材２００Ａと表示板装填部形成部材２１０Ｂにより形成される表示板支持部材の左側面図、正面図（前面図）、右側面図、右前上方から見た斜視図である。
【０１９６】
図１５（ｃ１）、図１５（ｃ２）、図１５（ｃ３）、図１５（ｃ４）は順に、表示板装填部形成部材２２０Ｂの左側面図、正面図（前面図）、右側面図、右前上方から見た斜視図である。図に示す様に、表示板装填部形成部材２２０Ｂは、右外側面２２２Ｂ、星型の孔２２３Ｂ、孔２２８Ｂ、合せ面２２９Ｂを備えており、図１５（ａ１）〜図１５（ａ４）に示した表示板装填部形成部材２１０Ｂのハート型の孔２１３Ｂの形状を星型の孔２２３Ｂに変更した形状となっている。なお、１２個ある凸部の図示は省略している。
【０１９７】
図１５（ｄ１）、図１５（ｄ２）、図１５（ｄ３）、図１５（ｄ４）は順に、合せ面２０９Ａと合せ面２２９Ｂおよび表示板嵌合用凸部を形成する凸部の一部同士を合致させて表示板装填部形成部材２００Ａと表示板装填部形成部材２２０Ｂにより形成される表示板支持部材の左側面図、正面図（前面図）、右側面図、右前上方から見た斜視図である。
【０１９８】
ここで、図１３（ｃ１）〜図１３（ｃ４）に示した表示板支持部材２００を形成する表示板装填部形成部材２００Ａと表示板装填部形成部材２００Ｂが表示板により連結可能であったのと同様に、図１５（ｂ１）〜図１５（ｂ４）に示した表示板装填部形成部材２００Ａと表示板装填部形成部材２１０Ｂにより形成される表示板支持部材の表示板装填部に、表示板を装填することにより、表示板装填部形成部材２００Ａと表示板装填部形成部材２１０Ｂを表示板により連結することが可能であり、図１５（ｄ１）〜図１５（ｄ４）に示した表示板装填部形成部材２００Ａと表示板装填部形成部材２２０Ｂにより形成される表示板支持部材の表示板装填部に、表示板を装填することにより、表示板装填部形成部材２００Ａと表示板装填部形成部材２２０Ｂを表示板により連結することが可能である。この場合、表示板は、連結部材として機能するので、連結板と呼ぶことが出来る。
【０１９９】
この様に、表示板装填部形成部材２１０Ｂと表示板装填部形成部材２００Ａ、表示板装填部形成部材２２０Ｂと表示板装填部形成部材２００Ａにより形成される表示板装填部は連結板装填部として機能するので、表示板装填部形成部材２１０Ｂを連結板装填部形成部材２１０Ｂ、表示板装填部形成部材２２０Ｂを連結板装填部形成部材２２０Ｂと呼ぶことが可能である。
【０２００】
また、ここで、図１（ｇ）および図２（ａ）〜図２（ｅ）に示した表示板支持部材１００の表示板装填部１０５は、Ａ−Ａ断面で２つに切断して分割することにより、図１３に示した表示板装填部２０５と同様に連結板装填部として機能することが可能となり、連結板装填部となる。
つまり、表示板支持部材１００をＡ−Ａ断面で２つに切断して分割することにより得られる２つの表示板装填部形成部材は、図１３（ａ１）〜図１３（ａ４）に示した表示板装填部形成部材２００Ａ、図１３（ｂ１）〜図１３（ｂ４）に示した表示板装填部形成部材２００Ｂ、図１５（ａ１）〜図１３（ａ４）に示した表示板装填部形成部材２１０Ｂや図１５（ｃ１）〜図１３（ｃ４）に示した表示板装填部形成部材２２０Ｂと同様に、切断面を合致させて連結板装填部を形成した後、連結板を装填することにより、連結することが可能な連結板装填部形成部材となる。
【０２０１】
また、同様に、図６（ａ）〜図６（ｆ）および図７（ａ）〜図７（ｅ）に示した表示板支持部材１１０の表示板装填部１１５は、Ｆ−Ｆ断面で２つに切断して分割することにより、連結板装填部となり、図８（ａ）〜図８（ｆ）および図９（ａ）〜図９（ｄ）に示した表示板支持部材１３０の表示板装填部１３５は、Ｊ−Ｊ断面で２つに切断して分割することにより、連結板装填部となり、図１２（ａ）〜図１２（ｈ）に示した表示板支持部材１９０の表示板装填部１９５あるいは表示板非表示装填部１９８は、Ｗ−Ｗ断面で２つに切断して分割することにより、連結板装填部となり、各々の表示板支持部材を上記各断面で２つに切断して分割することにより得られる各々２つの表示板装填部形成部材は、連結板装填部形成部材となる。
【０２０２】
また、勿論、各表示板装填部の表示板嵌合用凸部を形成する凸部を分割する様に切断して分割すれば、Ａ−Ａ断面、Ｆ−Ｆ断面、Ｊ−Ｊ断面およびＷ−Ｗ断面のように各表示板支持部材の厚みの完全な半分での位置で分割しなくても表示板装填部は連結板装填部となることが可能である。
つまり、連結板の切欠部や孔や陥凹部に凸部が嵌合して、凸部が連結板により両側から挟まれるようにすれば、分割により得られる各表示板装填部形成部材は、連結板装填部形成部材となることが可能である。
【０２０３】
また、図１０（ａ）〜図１０（ｇ）に示した表示板支持部材１４０の表示板装填部１４５、図１１（ａ１）〜図１１（ａ３）に示した表示板支持部材１６０の表示板装填部、図１１（ｂ１）および図１１（ｂ２）に示した表示板支持部材１７０の表示板装填部、図１１（ｃ１）および図１１（ｃ２）に示した表示板支持部材１７０の表示板装填部においても、各表示板装填部の表示板嵌合用凸部を形成する凸部を分割する様に切断して分割すれば、表示板装填部は連結板装填部となることが可能であり、連結板の切欠部や孔や陥凹部に凸部が嵌合して、凸部が連結板により両側から挟まれるようにすれば、分割により得られる各表示板装填部形成部材は、連結板装填部形成部材となることが可能である。
【０２０４】
また、ここで、表示板装填部を分割することにより連結板装填部となると表現したが、本発明内に記載の連結板装填部の実際の形成においては、別々に独立した連結板装填部形成部材を作製した後に、合せ面を合わせて連結板装填部を形成しても構わない。
つまり、連結板装填部形成部材の実際の作製においては、分割することにより連結板装填部形成部材ができる元の部材を作製してから分割して連結板装填部形成部材を作製しても、別々に独立した連結板装填部形成部材を作製しても構わない。別々に独立した連結板装填部形成部材を作製する方が、型から抜きやすいので作製は容易である。
【０２０５】
また、表示板支持部材１４０が有している表示板押出用孔は、表示板支持部材１４０を分割して得られる連結板装填部形成部材を、合せ面で合わせて形成される連結板支持部材において、連結板を押し出す為の連結板押出用孔として機能する。
【０２０６】
また、図１３（ｂ３）〜、図１３（ｂ４）に示した円形孔２０３Ｂ、図１５（ａ３）〜、図１３（ａ４）に示したハート型の孔２１３Ｂ、および図１５（ｃ３）〜、図１３（ｃ４）に示した星型の孔２２３Ｂは、円形陥凹部２０３Ａに収納した物品を外部から見られる様にする為の窓である。勿論、これらの孔を円形・ハート型・星型以外の形状にしても構わないし、これらの孔に透明性のあるガラスやプラスチックを嵌めても構わない。また、円形陥凹部２０３Ａの形状を円形以外にしても構わない。また、円形陥凹部２０３Ａに、ハート型や星型などの孔を作製することにより、表示板装填部形成部材２００Ａの左外側面２０１Ａの側から、円形陥凹部２０３Ａに収納した物品を見られる様にしても構わない。
【０２０７】
孔２１８Ｂや孔２２８Ｂは、表示板装填物と他の部材の連結を容易にする為の孔である。これにより、本発明内に記載の表示板装填物は、例えば、孔に環状のリングを取り付け、リングの中に鎖や紐などを通すことにより、ペンダントとして使用することが可能となる。
【０２０８】
また、孔２１８Ｂや孔２２８Ｂの孔の貫通方向は合せ面および右外側面に対して垂直であるが、孔の貫通方向を、付加した環状部以外とは交差しない様にして９０度変えることにより、本発明内に記載の表示板装填物は、直接、鎖や紐などを通してペンダントとして使用することが可能となる。
【０２０９】
また、本発明内に記載の表示板装填物は、孔２１８Ｂや孔２２８Ｂなどの連結のための孔を利用して、ピアスなどに連結し、耳飾りとして使用することも可能である。
【０２１０】
また、本発明内に記載の表示板装填物は、孔２１８Ｂや孔２２８Ｂなどの連結のための孔の位置を工夫することにより、安全ピンなどと連結して、ブローチやバッジ、名札等として使用することが可能となる。
【０２１１】
この様に、本発明内に記載の表示板装填物は、他の部材との連結を容易とする孔などの構造を付加することにより、様々な用途に使用可能となる。
【０２１２】
また、表示板の着脱に関する以外の構造として、本発明内に記載の表示板支持部材を形成する表示板装填部形成部材同士は、一部を蝶番で連結されていても構わない。表示板装填部形成部材同士が蝶番でつながることで、表示板装填部から全ての表示板を抜去した場合でも、表示板装填部形成部材同士が離れ離れにならず、紛失しにくくなり、蝶番の回転軸を軸にして表示板装填部形成部材同士を合わせるだけで、互いの備える凸部同士が正確に合わさるので、簡単に表示板の装填が行える様になる。
【０２１３】
図１６は、平板状ではなく球状の表示板支持部材の例を示す図である。
【０２１４】
図１６（ａ）、図１６（ｂ）、図１６（ｃ）、図１６（ｄ）、図１６（ｅ）、図１６（ｆ）は順に、表示板支持部材２３０の平面図（上面図）、左側面図、正面図（前面図）、右側面図、底面図（下面図）、右前上方から見た斜視図である。また、図１６（ｇ）と図１６（ｈ）は、図１６（ｃ）に示したＺ１−Ｚ１断面を、異なる方向から見た図であり、図１６（ｇ）は、表示板支持部材２３０のＺ１−Ｚ１断面を、右側面の側から見た図で、図１６（ｈ）は、右前上方から見た図である。なお、斜線部２３６はＺ１−Ｚ１断面を表している。
【０２１５】
表示板支持部材２３０は図１６に示す様に、左外側面２３１、右外側面２３２、窓部側外側面２３４、表示板装填部２３５を備え、表示板装填部２３５は、表示板挿入用口２３５ｄ、表示板表示用窓部２３５ｅ、凸部２３５ｆ、隆起部２３５ｇを有している。なお、窓部壁、対向壁、間壁、表示板スライド用溝などの図示は省略している。
【０２１６】
この様に、窓部側外側面と左外側面、窓部側外側面と右外側面が、垂直ではなくて、曲面でつながっていても良く、本発明内に記載の表示板支持部材は、平板状ではなくて、球状であっても構わない。勿論、窓部側外側面と左外側面、窓部側外側面と右外側面の関係が、斜めであっても構わない。つまり、表示板支持部材の形状は、表示板装填部を形成できる形状であれば良く、表示板の表示板装填部に対する機能は、表示板支持部材の外形状に係わらない。
【０２１７】
また、図１６に示す様に、本発明内に記載の表示板支持部材は、円形陥凹部を備えていなくても構わない。円形陥凹部は表示板装填物の用途に応じて作製すれば良い。
【０２１８】
また、図２では、表示板スライド用溝１０５ｋの溝方向は直線状となっており、左外側面および右外側面に対して垂直となっていが、図１６に示す表示板支持部材２３０の表示板スライド用溝は、左外側面および右外側面に対して垂直となってはいない。この様に表示板支持部材の外形状によっては垂直とならないこともある。また、必ずしも垂直とする必要はない。
【０２１９】
また、表示板支持部材２３０を、表示板支持部材２００の様に２つの表示板装填部形成部材から形成される構造としても良い。例えば、表示板支持部材２３０をＺ１―Ｚ１断面で切断して、２つの表示板装填部形成部材に分割すると、表示板装填部形成部材２００Ａと表示板装填部形成部材２００Ｂ同様に、表示板を表示板装填部に装填することにより連結することが可能となり、切断面となる斜線部２３６に、表示板装填部形成部材２００Ａが備える円形陥凹部２０３Ａの様な陥凹部を作製すると、物品の収納スペースとして利用することが可能となる。勿論、表示板支持部材２３０を、３つ以上の表示板装填部形成部材から形成される構造にしても良い。また、結合（連結）された表示板支持部材の表示板装填部から全ての表示板を取り出すことにより、表示板支持部材は、表示板装填部形成部材に分離することも可能となる。
【０２２０】
つまり、表示板支持部材２３０をＺ１―Ｚ１断面で切断して得られる２つの表示板装填部形成部材は、連結板装填部形成部材と呼ぶことが可能であり、表示板支持部材２３０を連結板支持部材２３０と呼ぶことが可能である。また、連結板支持部材２３０を３つ以上の連結板装填部形成部材から形成される様にすることも可能である。
【０２２１】
図１７は、十字状の表示板支持部材の例を示す図である。
【０２２２】
図１７（ａ）、図１７（ｂ）、図１７（ｃ）、図１７（ｄ）、図１７（ｅ）、図１７（ｆ）は順に、表示板支持部材２４０の平面図（上面図）、左側面図、正面図（前面図）、右側面図、底面図（下面図）、右前上方から見た斜視図である。また、図１７（ｇ）と図１７（ｈ）は、図１７（ｃ）に示したＺ２−Ｚ２断面を、異なる方向から見た図であり、図１７（ｇ）は、表示板支持部材２４０のＺ２−Ｚ２断面を、右側面の側から見た図で、図１７（ｈ）は、右前上方から見た図である。なお、斜線部２４６はＺ２−Ｚ２断面を表している。
【０２２３】
表示板支持部材２４０は図１７に示すように、表示板装填部２４５を備え、表示板装填部２４５は、表示板挿入用口２４５ｄ、表示板表示用窓部２４５ｅ、凸部２４５ｆを有している。なお、左外側面、右外側面、窓部側外側面、窓部壁、対向壁、間壁、隆起部、表示板スライド用溝などの図示は省略している。
【０２２４】
この様に、表示板支持部材は、十字状であっても構わない。つまり、表示板支持部材の形状は、表示板装填部を形成できる形状であれば良く、表示板の表示板装填部に対する機能は、表示板支持部材の外形状に係わらない。
【０２２５】
また、表示板支持部材２４０を、表示板支持部材２００の様に２つの表示板装填部形成部材から形成される構造としても良い。例えば、表示板支持部材２４０をＺ２―Ｚ２断面で切断して、２つの表示板装填部形成部材に分割すると、表示板装填部形成部材２００Ａと表示板装填部形成部材２００Ｂ同様に、表示板を表示板装填部に装填することにより連結することが可能となる。また、結合（連結）された表示板支持部材の表示板装填部から全ての表示板を取り出すことにより、表示板支持部材は、表示板装填部形成部材に分離することも可能となる。
【０２２６】
つまり、表示板支持部材２４０をＺ２―Ｚ２断面で切断して得られる２つの表示板装填部形成部材は、連結板装填部形成部材と呼ぶことが可能であり、表示板支持部材２４０を連結板支持部材２４０と呼ぶことが可能である。また、連結板支持部材２４０を３つ以上の連結板装填部形成部材から形成される様にすることも可能である。
【０２２７】
また、図１３〜図１７を参照して説明した様に、本発明内に記載の表示板支持部材を形成する表示板装填部形成部材の構造上の特徴は、表示板を表示板としての機能を損なわせず、着脱可能な連結具として機能させることが可能である。
【０２２８】
また、図１６および図１７に示した様に、色々な形状の物体に、本発明内に記載の表示板装填部は作製することが可能であり、図１３〜図１５に示したように、表示板装填部を２つに分割する様にして、表示板支持部材を、表示板により連結可能な表示板装填部形成部材に分割することが可能である。更に、表示板装填部形成部材の間に収納スペースを設けることにより、物品の収納が可能な表示板装填物を作製することが可能となる。
【０２２９】
また、表示板により連結可能に分割されて得られる表示板装填部形成部材は、連結板により連結される機能を有しているので、連結板装填部形成部材と呼ぶことが可能である。
【０２３０】
図１８は、上述の例とは異なる別の表示板支持部材２５０、表示板支持部材２６０および表示板３５０を示す図である。
【０２３１】
図１８（ａ１）〜図１８（ａ３）は、表示板支持部材２５０を様々な方向から見た図、図１８（ｂ１）〜図１８（ｂ３）は、表示板支持部材２６０を様々な方向から見た図、図１８（ｃ１）〜図１８（ｃ３）は、表示板３５０を様々な方向から見た図である。
【０２３２】
図１８（ａ１）、図１８（ａ２）、図１８（ａ３）は順に、表示板支持部材２５０の左側面図、正面図（前面図）、右側面図である。なお、左外側面、右外側面、窓部側外側面、表示板装填部、窓部壁、対向壁、間壁、表示板挿入用口、表示板表示用窓部、凸部、隆起部、表示板スライド用溝などの図示は省略している。また、凸部は、両側の表示板スライド用溝の間の中間または中間付近に存在している。
【０２３３】
表示板支持部材２５０は図に示すように、窓部壁に隆起部が存在し、スライド用溝の底の対向壁の側に凸部を有している。また、表示板支持部材２５０の窓部側外側面に切欠部や孔が存在していないのは、表示板表示用窓部が透明性を有しているからである。つまり、表示板表示用窓部を透明性のある材質で形成することにより、窓部側外側面に窓部として切欠部や孔を作製する必要がなくなり、窓部壁に隆起部を作製することが可能となる。
【０２３４】
この様に、本発明内に記載の表示板支持部材は、表示板表示用窓部が、切欠部や切欠部ではなく、透明性のある素材で形成されていてもよく、隆起部が窓部壁の側にあっても構わない。表示板装填物の使用目的や製作コストに応じて選択すれば良い。
【０２３５】
また、表示板嵌合用凸部を形成する凸部は、両側の表示板スライド用溝の間の中間または中間付近にあれば、窓部壁に存在しても、対向壁に存在しても構わない。表示板挿入用スペースへの表示板の挿入時に表示板が沿って湾曲する為の隆起部が、表示板嵌合用凸部を形成する凸部が存在する壁に対向する壁に存在する場合は、凸部が表示板スライド用溝の底または底近くの位置にあれば、凸部が窓部壁または対向壁のどちらに存在しても、表示板の両側の挿入時側方部の間の部分を挿入時側方部に対して効果的に凸状または凹状に湾曲させることが可能である。
【０２３６】
また、表示板嵌合用凸部を形成する凸部が、表示板の挿入時に表示板が沿って湾曲する為の隆起部でもあり、凸部が存在する壁に対向する壁に、表示板挿入用スペースへの表示板の挿入時に表示板が沿って湾曲する為の隆起部が存在しない場合は、凸部が両側の表示板スライド用溝の間の中間または中間付近にあれば、凸部が窓部壁または対向壁のどちらに存在しても、表示板の両側の挿入時側方部の間の部分を挿入時側方部に対して効果的に凸状または凹状に湾曲させることが可能であり、両側の表示板スライド用溝の間の中間または中間付近に存在する凸部を各々２つに分割する位置で、
【０２３７】
図１８（ｂ１）、図１８（ｂ２）、図１８（ｂ３）は順に、表示板支持部材２６０の左側面図、正面図（前面図）、右側面図である。表示板支持部材２６０は、表示板支持部材１００とは異なり、表示板スライド用溝の底よりも表示板表示用窓部の側に少しずれた位置に突起状の凸部２６５ｆを有しており、それ以外は表示板支持部材１００と同じ形状をしている。なお、左外側面、右外側面、窓部側外側面、表示板装填部、窓部壁、対向壁、間壁、表示板挿入用口、表示板表示用窓部、隆起部、表示板スライド用溝などの図示は省略している。
【０２３８】
図１８（ｃ１）、図１８（ｃ２）、図１８（ｃ３）は順に、表示板支持部材２６０に装填が可能となる表示板３５０の平面図（上面図）、底面図（下面図）、右前上方から見た斜視図である。表示板３５０は図に示す様に、表示板支持部材２６０の凸部２６５ｆと嵌合する為の孔３５９を挿入時側方部３５５の付近に有している。しかし、凸部２６５ｆの高さを調節することにより、孔３５９を穴にすることも可能である。
【０２３９】
なお、図１８（ｃ１）に示した表示板３５０の上面には、「０」が記されているが、実際の使用に際しては、どの様な表記がなされていても構わない。使用に際し、必要な内容を表記することが可能である。
【０２４０】
以上、図１８（ａ１）〜図１８（ａ３）に示した表示板支持部材２５０の表示板装填部および、図１８（ｂ１）〜図１８（ｂ３）に示した表示板支持部材２６０の表示板装填部においても、各表示板装填部の表示板嵌合用凸部を形成する凸部を分割する様に切断して分割すれば、表示板装填部は連結板装填部となり、分割により得られる各表示板装填部形成部材は、連結板装填部形成部材となる。
【０２４１】
つまり、本発明内に記載の表示板支持部材が備える表示板装填部は、表示板装填部の分割位置により、連結板装填部となることが可能であり、表示板支持部材は連結板支持部材となることが可能である。また、表示板装填部の分割に伴い、表示板支持部材を分割して得られる表示板装填部形成部材は、連結装填部を形成する連結板装填部形成部材となる。
【０２４２】
また、連結板嵌合用凸部を形成する凸部が、両側の連結板スライド用溝の底または底近くの対向する位置に存在し、凸部の存在する壁に対向する壁が有する隆起部が緩やかで、一様な曲率の曲面となっている場合、連結板を全体的に一様に湾曲させることが可能である。
【０２４３】
具体的な例として、連結板支持部材１００と連結板３００を用いて説明すると、連結板支持部材１００の連結板挿入用スペースへ連結板３００を挿入する時、連結板挿入用スペースの両側の連結板スライド用溝１０５ｋの底の対向する位置にある窓部壁１０５ａの側の凸部１０５ｆで、連結板３００の両側の挿入時側方部３０５の外側を対向壁１０５ｂの側に押し下げることになる。つまり、対向壁１０５ｂの隆起部１０５ｇを支えとして、連結板３００を両側の挿入時側方部３０５の外側の２点で対向壁１０５ｂの側に押し下げることにより、連結板３００を全体的に湾曲させることが可能となる。また、図１および図２に示すように、連結板支持部材１００の備える連結板装填部１０５の有する対向壁１０５ｂの隆起部１０５ｇは、一定の曲率で緩やかに湾曲する曲面となっている。その為、窓部壁１０５ａの凸部１０５ｆにより、両側の挿入時側方部３０５の外側を対向壁１０５ｂの側に押し下げられ、連結板３００は隆起部１０５ｇに沿って一様に湾曲することが可能となる。
【０２４４】
この様に、連結板を一様に湾曲させることのメリットは、湾曲しにくいプラスチック素材や金属素材であっても連結板の材料として用いることが可能となる点である。また、連結板を一様に湾曲させることにより、折れ曲がりや、歪んだ所が白くなる白化現象が、より生じにくくなる。
【０２４５】
つまり、ある程度の変形復元能を有する連結板の場合は、隆起部が緩やかに湾曲する曲面でなくても構わないが、連結板の材質によっては、隆起部を緩やかに湾曲する曲面にして、連結板を隆起部に沿って一様に湾曲させることにより、連結板に折れ曲がりや白化現象などの損傷が生じることを防ぐことが可能となる。
【０２４６】
また、表示板支持部材２４０は４つの表示板装填部を有し、その他の表示板支持部材は６つの表示板装填部を有していたが、表示板支持部材が有する表示板装填部の数に制限はない。１つであっても、２つであっても構わないし、５つであっても、８つであっても構わない。使用に適した数だけ表示板装填部を表示板支持部材に作製すれば良い。なお、表示板非表示装填部に関しても同様に、使用に適した数だけ、表示板支持部材に作製すれば良い。
【０２４７】
また、同様に、連結板支持部材が有する連結板装填部の数に制限はない。１つであっても、２つであっても構わないし、５つであっても、８つであっても構わない。使用に適した数だけ連結板装填部を連結板支持部材に作製すれば良い。
【０２４８】
また、連結板嵌合用凸部を形成する凸部の数が、１つの同じ連結板支持部材が有する各連結板装填部によって異なっても構わない。連結板と連結板支持部材の嵌合が可能であれば、各連結板装填部が有する凸部の数に制限はない。つまり、連結板装填部形成部材の連結に適した数だけ、連結板嵌合用凸部を形成する凸部があれば良い。
具体的に説明すると、連結板支持部材２００などにおいて、一方の連結板挿入用口から他方の連結板挿入用口に向けて、凸部が複数並んでいても構わない。
なぜなら、連結板の有する切欠部、孔または凹部を大きくすることで、複数の凸部をまとめて嵌合させることが可能であるからである。
また、勿論、連結板に切欠部、孔または凹部を複数作製して、複数の凸部を個別に嵌合させても構わない。
【０２４９】
また、表示板支持部材１４０が備える表示板装填部の表示板嵌合用凸部を形成する凸部を分割する様に切断して得られる連結板装填部形成部材の場合、連結板を装填後に、取り出す必要がなければ、連結板を押し出す為に用いる連結板押出用孔を作製する必要はない。
【０２５０】
また、表示板支持部材１００、表示板支持部材１１０、表示板支持部材１３０および表示板支持部材１９０の各表示板装填部はそれぞれ、Ａ−Ａ断面、Ｆ−Ｆ断面、Ｈ−Ｈ断面、Ｊ−Ｊ断面、Ｐ−Ｐ断面、Ｗ−Ｗ断面により対称形状であるとしたが、各表示板装填部は対称形状でなくても構わない。各表示板支持部材が有する表示板装填部が各断面により対称形状でない場合には、表示板挿入用口の幅や表示板装填部の奥行きに合わせて、表示板の両側の挿入時側方部の間の長さと、挿入時前方部と挿入時後方部の間の長さを決定し、表示板装填部が有する表示板嵌合用凸部の位置や形状に応じた位置に、表示板の表示板支持部材用嵌合部を作製すれば良く、表示面と裏面の間の厚みに関しても、表示板装填部の形状に合わせて決定すれば良い。つまり、表示板も、必ずしも対称形状でなければならない訳ではない。なお、本発明の連結板装填部も同様に、対称形状でなくても構わない。また、連結板装填部に対する連結板も、対称形状でなくても構わない。
【０２５１】
また、表示板支持部材１６０、表示板支持部材１７０、表示板支持部材１８０の各表示板装填部も同様の断面により対称形状となる様に描いているが、実際には対称形状でなくても構わない。
【０２５２】
また、表示板支持部材１６０、表示板支持部材１７０、表示板支持部材１８０を分割して得られる連結板装填部形成部材により形成される各連結板装填部も同様に対称形状であっても対称形状でなくても構わない。
【０２５３】
また、表示板支持部材１００、表示板支持部材１１０、表示板支持部材１３０、表示板支持部材１６０、表示板支持部材１７０、表示板支持部材１８０、表示板支持部材１９０などの有する各表示板装填部は、左外側面と右外側面の側に表示板挿入用口を備えていたが、表示板支持部材は、左外側面と右外側面のどちらか一方の側にだけ、表示板挿入用口を備えていても構わないし、１つの同じ表示板支持部材が有する各表示板装填部によって異なっても構わない。つまり、ある１つの表示板装填部が、表示板挿入用口を左外側面の側にだけ有していて、別の１つの表示板装填部が、表示板挿入用口を右外側面の側にだけ有していて、更に別の１つの表示板装填部が、表示板挿入用口を左外側面と右外側面の両側に有していても構わない。
【０２５４】
同様に、連結板装填部形成部材により形成される連結板支持部材の有する各連結板装填部は、連結板スライド用溝の両端に連結板挿入用口を備えていても構わないし、連結板装填部形成部材により形成される連結板支持部材が、連結板スライド用溝のどちらか一方の側にだけ、連結板挿入用口を備えていても構わないし、連結板装填部形成部材により形成される連結板支持部材が有する連結板装填部の内、ある１つの連結板装填部が、連結板挿入用口を連結板スライド用溝のどちらか一端にだけ有していて、別の１つの連結板装填部が、連結板挿入用口を連結板スライド用溝の両端に有していても構わない。
また、本発明内において、表示板挿入用口または連結板挿入用口を単に挿入用口、表示板スライド用溝または連結板スライド用溝を単にスライド用溝、表示板嵌合用凸部または連結板嵌合用凸部を単に嵌合用凸部と呼ぶことがある。
【０２５５】
また、本発明内に記載の表示板装填物の表示板は、色々なプラスチックで形成することが可能であり、プラスチックの一種であるポリプロピレンで表示板を作製した場合には、強く歪ませると、白化現象が生じる可能性が高まるが、図４（ｂ２）、図４（ｃ２）、図４（ｄ２）および図５（ｂ）に示した程度の歪の場合には、ほとんど白化現象が生じないので、機械的強度、耐熱性に優れているポリプロピレンで表示板を形成することも可能である。
また、本発明の連結板についても同様のことが言える。
【０２５６】
また、変形復元能を有する表示板を、金属で作製することも容易である。例えば、銅板を用いて、表示板を作製することが可能であり、硬度の高いステンレスなどであっても、厚さを薄くすることで、表示板として、利用可能な程度の変形能と復元能を得ることが可能である。
また、本発明の連結板についても同様である。
【０２５７】
以上のように、本発明の複数の連結板装填部形成部材から成る連結板支持部材と連結板から構築される連結構築物においては、変形復元能に乏しい小さな連結板でも、連結板支持部材に対して着脱が可能な為、連結構築物自体あるいは連結板のみを小型化することが出来る。また、連結板装填部形成部材の間に収納スペースを設けることにより、物品の収納および取り出しを可能にすることが出来る。
【産業上の利用可能性】
【０２５８】
複数の連結板装填部形成部材を連結板により連結させて構築する本発明の連結構築物は、組み立ておよび分解が容易であり、例えば、連結板装填部形成部材の厚みが２．５ｍｍ程度の薄い部材であっても、２つの連結板装填部形成部材同士を合わせて連結板装填部を形成してから、３方向の長さが、厚み方向０．５ｍｍ程度、横方向７ｍｍ程度、縦方向５ｍｍ弱の小さな板状の連結板を縦方向に押し込むだけで、２つの連結板装填部形成部材同士を確実に連結して連結構築物を構築することが出来るので、収納スペースを有するブローチ、ペンダント、バッジ、お守り札、名札、迷子札、荷札、持ち物札など様々な物として利用することが可能となり、ねじ回しなどの工具を使用せずに、使用者が組み立ておよび分解が可能な為、安価でバリエーションの豊富な連結構築物を提供できる可能性がある。
【図面の簡単な説明】
【０２５９】
【図１】図１は、表示板装填物１０を様々な方向から見た図と、表示板支持部材１００の斜視図である。
【図２】図２は、表示板支持部材１００の側面図、正面図および断面図である。
【図３】図３は、表示板３００を様々な方向から見た図である。
【図４】図４は、表示板支持部材１００に、表示板３００を装填する過程を示す図である。
【図５】図５は、表示板支持部材１００に、表示板３００を装填する過程を示す断面図である。
【図６】図６は、表示板表示用窓部として開窓孔を有する例としての表示板支持部材１１０を、様々な方向から見た図と、表示板支持部材１１０の断面図である。
【図７】図７は、表示板支持部材１１０の断面の斜視図と、表示板支持部材１１０の斜視図である。
【図８】図８は、表示板支持部材の例として、表示板用嵌合部を形成する凸部を、対向壁に有する表示板支持部材１３０を、様々な方向から見た図と、表示板支持部材１３０の断面図である。
【図９】図９は、表示板支持部材１３０の断面の斜視図、表示板支持部材１３０の斜視図および表示板３２０と表示板３３０を様々な方向から見た図である。
【図１０】図１０は、表示板支持部材の例として、左外側面に表示板押出用孔を有する表示板支持部材１４０を、様々な方向から見た図と、表示板支持部材１４０の断面を異なる方向から見た図である。
【図１１】図１１は、基部から頂部に向けての傾斜角度が緩やかな上り傾斜とはなっていない凸部を有する表示板装填部を備える表示板支持部材の例を示す図である。
【図１２】図１２は、表示板非表示装填部を有する表示板支持部材の例を示す図である。
【図１３】図１３は、２つの表示板装填部形成部材から形成される表示板支持部材の例を示す図であると共に、２つの連結板装填部形成部材から形成される連結板支持部材の例を示す図である。
【図１４】図１４は、３つの表示板装填部形成部材から形成される表示板支持部材の例を示す図であると共に、３つの連結板装填部形成部材から形成される連結板支持部材の例を示す図である。
【図１５】図１５は、２つの表示板装填部形成部材から形成される表示板支持部材の別の例を示す図であると共に、２つの連結板装填部形成部材から形成される連結板支持部材の別の例を示す図である。
【図１６】図１６は、表示板装填部を備える球形状の表示板支持部材２３０の例を示す図である。
【図１７】図１７は、表示板装填部を備える十字形状の表示板支持部材２４０の例を示す図である。
【図１８】図１８は、表示板表示用窓部が透明性を有し、窓部壁に隆起部を有する表示板支持部材２５０と、突起状の凸部を有する表示板支持部材２６０および表示板支持部材２６０に装填可能な表示板３５０を示す図である。
【符号の説明】
【０２６０】
１０    表示板装填物
１００    表示板支持部材
１０１    左外側面
１０２    右外側面
１０３    円形陥凹部
１０４    窓部側外側面
１０５    表示板装填部
１０５ａ    窓部壁
１０５ｂ    対向壁
１０５ｃ    間壁
１０５ｄ    表示板挿入用口
１０５ｅ    （窓部側外側面の側の壁の切欠部である）表示板表示用窓部
１０５ｆ    表示板嵌合用凸部
１０５ｇ    対向壁の隆起部
１０５ｈ    対向壁の陥凹部
１０５ｋ    表示板スライド用溝
１０６ＡＡ    表示板支持部材１００のＡ−Ａ断面
１０６ＢＢ    表示板支持部材１００のＢ−Ｂ断面
１１０    表示板支持部材
１１１    左外側面
１１２    右外側面
１１３    円形陥凹部
１１４    窓部側外側面
１１５    表示板装填部
１１５ａ    窓部壁
１１５ｂ    対向壁
１１５ｃ    間壁
１１５ｄ    表示板挿入用口
１１５ｅ    （窓部側外側面の側の壁の孔である）表示板表示用窓部
１１５ｆ    表示板嵌合用凸部
１１５ｇ    対向壁の隆起部
１１５ｈ    対向壁の陥凹部
１１５ｋ    表示板スライド用溝
１１６ＦＦ    表示板支持部材１１０のＦ−Ｆ断面
１１６ＧＧ    表示板支持部材１１０のＧ−Ｇ断面
１３０    表示板支持部材
１３１    左外側面
１３２    右外側面
１３３    円形陥凹部
１３４    窓部側外側面
１３５    表示板装填部
１３５ａ    窓部壁
１３５ｂ    対向壁
１３５ｃ    間壁
１３５ｄ    表示板挿入用口
１３５ｅ    （窓部側外側面の側の壁の切欠部である）表示板表示用窓部
１３５ｆ    対向壁の隆起部でもある表示板嵌合用凸部
１３５ｋ    表示板スライド用溝
１３６ＪＪ    表示板支持部材１３０のＪ−Ｊ断面
１３６ＫＫ    表示板支持部材１３０のＫ−Ｋ断面
１４０    表示板支持部材
１４１    左外側面
１４２    右外側面
１４３    円形陥凹部
１４４    窓部側外側面
１４５    表示板装填部
１４５ａ    窓部壁
１４５ｂ    対向壁
１４５ｃ    間壁
１４５ｄ    表示板挿入用口
１４５ｅ    （窓部側外側面の側の壁の切欠部である）表示板表示用窓部
１４５ｆ    表示板嵌合用凸部
１４５ｋ    表示板スライド用溝
１４６    表示板支持部材１４０のＮ−Ｎ断面
１４７    表示板押出用孔
１６０    表示板支持部材
１６５ｆ    表示板嵌合用凸部
１７０    表示板支持部材
１７５ｆ    表示板嵌合用凸部
１８０    表示板支持部材
１８５ｆ    表示板嵌合用凸部
１９０    表示板支持部材
１９１    左外側面
１９２    右外側面
１９３    円形陥凹部
１９４    窓部側外側面
１９５    表示板装填部
１９５ｅ    （窓部側外側面の側の壁の切欠部である）表示板表示用窓部
１９５ｆ    表示板嵌合用凸部
１９５ｋ    表示板スライド用溝
１９６ＷＷ    表示板支持部材１９０のＷ−Ｗ断面
１９６ＸＸ    表示板支持部材１９０のＸ−Ｘ断面
１９８    表示板非表示装填部
１９８ｆ    表示板嵌合用凸部
２００    表示板支持部材
２０５    表示板装填部
２０５ｅ    （窓部側外側面の側の壁の切欠部である）表示板表示用窓部
２０５ｆ    表示板嵌合用凸部
２０５ｇ    対向壁の隆起部
２００Ａ    表示板装填部形成部材
２０１Ａ    左外側面
２０３Ａ    円形陥凹部
２０４Ａ    窓部側外側面
２０５ｆＡ    （凸部２０５ｆを形成する）凸部
２０６Ａ    表示板装填部形成部材２００ＡのＹ−Ｙ断面
２０９Ａ    （他の表示板装填部形成部材に対向させて合わせる為の）合せ面
２００Ｂ    表示板装填部形成部材
２０２Ｂ    右外側面
２０３Ｂ    円形孔
２０４Ｂ    窓部側外側面
２０５ｆＢ    （凸部２０５ｆを形成する）凸部
２０６Ｂ    表示板装填部形成部材２００ＢのＹ−Ｙ断面
２０９Ｂ    （他の表示板装填部形成部材に対向させて合わせる為の）合せ面
２００Ｂａ    表示板装填部形成部材
２００Ｂｂ    表示板装填部形成部材
２１０Ｂ    表示板装填部形成部材
２１２Ｂ    右外側面
２１３Ｂ    ハート型の孔
２１８Ｂ    孔
２１９Ｂ    （他の表示板装填部形成部材に対向させて合わせる為の）合せ面
２２０Ｂ    表示板装填部形成部材
２２２Ｂ    右外側面
２２３Ｂ    星型の孔
２２８Ｂ    孔
２２９Ｂ    （他の表示板装填部形成部材に対向させて合わせる為の）合せ面
２３０    表示板支持部材
２３１    左外側面
２３２    右外側面
２３４    窓部側外側面
２３５    表示板装填部
２３５ｄ    表示板挿入用口
２３５ｅ    （窓部側外側面の側の壁の切欠部である）表示板表示用窓部
２３５ｆ    表示板嵌合用凸部
２３５ｇ    対向壁の隆起部
２３６    表示板支持部材２３０のＺ１−Ｚ１断面
２４０    表示板支持部材
２４５    表示板装填部
２４５ｄ    表示板挿入用口
２４５ｅ    （窓部側外側面の側の壁の切欠部である）表示板表示用窓部
２４５ｆ    表示板嵌合用凸部
２４６    表示板支持部材２４０のＺ２−Ｚ２断面
２５０    表示板支持部材
２６０    表示板支持部材
２６５ｆ    表示板嵌合用凸部
３００    表示板
３０１    表示面
３０２    裏面
３０３    挿入時前方部
３０４    挿入時後方部
３０５    挿入時側方部
３０６    （表示板支持部材用嵌合部を形成する為の）切欠部
３２０    表示板
３２１    表示面
３２２    裏面
３２３    挿入時前方部
３２７    （表示板支持部材用嵌合部を形成する為の穴状の）凹部
３３０    表示板
３３１    表示面
３３２    裏面
３３３    挿入時前方部
３３７    （表示板支持部材用嵌合部を形成する為の溝状の）凹部
３５０    表示板
３５５    挿入時側方部
３５９    （表示板支持部材用嵌合部を形成する為の）孔
【図１】
2011027239.tif 000003
【図２】
2011027239.tif 000004
【図３】
2011027239.tif 000005
【図４】
2011027239.tif 000006
【図５】
2011027239.tif 000007
【図６】
2011027239.tif 000008
【図７】
2011027239.tif 000009
【図８】
2011027239.tif 000010
【図９】
2011027239.tif 000011
【図１０】
2011027239.tif 000012
【図１１】
2011027239.tif 000013
【図１２】
2011027239.tif 000014
【図１３】
2011027239.tif 000015
【図１４】
2011027239.tif 000016
【図１５】
2011027239.tif 000017
【図１６】
2011027239.tif 000018
【図１７】
2011027239.tif 000019
【図１８】
2011027239.tif 000020
【手続補正書】
【提出日】平成21年9月16日(2009.9.16)
【手続補正１】
【補正対象書類名】明細書
【補正対象項目名】０１５７
【補正方法】変更
【補正の内容】
【０１５７】
図１２（ａ）〜図１２（ｈ）に示す様に、表示板支持部材１９０は、左外側面１９１、右外側面１９２、円形陥凹部１９３、窓部側外側面１９４、表示板装填部１９５、表示板非表示装填部１９８を備えている。表示板装填部１９５は、表示板装填部１１５と同様に、窓部壁、対向壁、間壁、表示板挿入用口、表示板表示用窓部１９５ｅ、凸部１９５ｆを有しており、対向壁には、隆起部と陥凹部が存在し、窓部壁と対向壁の間の間隙の両側に存在する側方の溝部分が表示板スライド用溝１９５ｋである。また、表示板非表示装填部１９８は、凸部１９８ｆを有しており、円形陥凹部１９３の側の壁には、隆起部と陥凹部が存在する。なお、窓部壁、対向壁、間壁、表示板挿入用口、隆起部および陥凹部などについては、符号による図示を省略している。また、各表示板装填部１９５および各表示板非表示装填部１９８は、左右対称形状、つまり、Ｗ−Ｗ断面において鏡像関係となっている。
【手続補正２】
【補正対象書類名】明細書
【補正対象項目名】０１６３
【補正方法】変更
【補正の内容】
【０１６３】
図１３（ａ１）、図１３（ａ２）、図１３（ａ３）、図１３（ａ４）は順に、表示板装填部形成部材２００Ａの左側面図、正面図（前面図）、右側面図、右前上方から見た斜視図である。表示板装填部形成部材２００Ａは図に示すように、左外側面２０１Ａ、円形陥凹部２０３Ａ、窓部側外側面２０４Ａ、１２個の凸部２０５ｆＡ、合せ面２０９Ａを備えている。なお、左外側面２０１Ａ側に存在する表示板挿入用口の符号による図示は省略している。
【手続補正３】
【補正対象書類名】明細書
【補正対象項目名】０１６４
【補正方法】変更
【補正の内容】
【０１６４】
図１３（ｂ１）、図１３（ｂ２）、図１３（ｂ３）、図１３（ｂ４）は順に、表示板装填部形成部材２００Ｂの左側面図、正面図（前面図）、右側面図、右前上方から見た斜視図である。表示板装填部形成部材２００Ｂは図に示すように、右外側面２０２Ｂ、円形孔２０３Ｂ、窓部側外側面２０４Ｂ、１２個の凸部２０５ｆＢ、合せ面２０９Ｂを備えている。なお、右外側面２０２Ｂ側に存在する表示板挿入用口の符号による図示は省略している。
【手続補正４】
【補正対象書類名】明細書
【補正対象項目名】０１６５
【補正方法】変更
【補正の内容】
【０１６５】
図１３（ｃ１）、図１３（ｃ２）、図１３（ｃ３）、図１３（ｃ４）は順に、表示板支持部材２００の左側面図、正面図（前面図）、右側面図、右前上方から見た斜視図である。表示板支持部材２００は図に示すように、６つの表示板装填部２０５を備え、各表示板装填部２０５は、表示板表示用窓部２０５ｅ、２つの凸部２０５ｆ、隆起部２０５ｇを有している。なお、左外側面、右外側面、窓部側外側面、窓部壁、対向壁、間壁、表示板挿入用口、表示板スライド用溝などの符号による図示は省略している。また、各表示板装填部２０５が有する凸部２０５ｆは、表示板挿入用スペースの両側の表示板スライド用溝の底の窓部壁の側の対向する位置であり、表示板スライド用溝の両端に存在する表示板挿入用口の間の中間の位置に存在している。
【手続補正５】
【補正対象書類名】明細書
【補正対象項目名】０１９４
【補正方法】変更
【補正の内容】
【０１９４】
図１５（ａ１）、図１５（ａ２）、図１５（ａ３）、図１５（ａ４）は順に、表示板装填部形成部材２１０Ｂの左側面図、正面図（前面図）、右側面図、右前上方から見た斜視図である。図に示す様に、表示板装填部形成部材２１０Ｂは、右外側面２１２Ｂ、ハート型の孔２１３Ｂ、孔２１８Ｂ、合せ面２１９Ｂを備えており、図１３（ｂ１）〜図１３（ｂ４）に示した表示板装填部形成部材２００Ｂの円形孔２０３Ｂの形状をハート型の孔２１３Ｂに変更して、孔２１８Ｂを有する環状部を付加した形状となっている。なお、１２個ある凸部の符号による図示は省略している。
【手続補正６】
【補正対象書類名】明細書
【補正対象項目名】０１９６
【補正方法】変更
【補正の内容】
【０１９６】
図１５（ｃ１）、図１５（ｃ２）、図１５（ｃ３）、図１５（ｃ４）は順に、表示板装填部形成部材２２０Ｂの左側面図、正面図（前面図）、右側面図、右前上方から見た斜視図である。図に示す様に、表示板装填部形成部材２２０Ｂは、右外側面２２２Ｂ、星型の孔２２３Ｂ、孔２２８Ｂ、合せ面２２９Ｂを備えており、図１５（ａ１）〜図１５（ａ４）に示した表示板装填部形成部材２１０Ｂのハート型の孔２１３Ｂの形状を星型の孔２２３Ｂに変更した形状となっている。なお、１２個ある凸部の符号による図示は省略している。
【手続補正７】
【補正対象書類名】明細書
【補正対象項目名】０２１５
【補正方法】変更
【補正の内容】
【０２１５】
表示板支持部材２３０は図１６に示す様に、左外側面２３１、右外側面２３２、窓部側外側面２３４、表示板装填部２３５を備え、表示板装填部２３５は、表示板挿入用口２３５ｄ、表示板表示用窓部２３５ｅ、凸部２３５ｆ、隆起部２３５ｇを有している。なお、窓部壁、対向壁、間壁、表示板スライド用溝などの符号による図示は省略している。
【手続補正８】
【補正対象書類名】明細書
【補正対象項目名】０２２３
【補正方法】変更
【補正の内容】
【０２２３】
表示板支持部材２４０は図１７に示すように、表示板装填部２４５を備え、表示板装填部２４５は、表示板挿入用口２４５ｄ、表示板表示用窓部２４５ｅ、凸部２４５ｆを有している。なお、左外側面、右外側面、窓部側外側面、窓部壁、対向壁、間壁、隆起部、表示板スライド用溝などの符号による図示は省略している。
【手続補正９】
【補正対象書類名】明細書
【補正対象項目名】０２３２
【補正方法】変更
【補正の内容】
【０２３２】
図１８（ａ１）、図１８（ａ２）、図１８（ａ３）は順に、表示板支持部材２５０の左側面図、正面図（前面図）、右側面図である。なお、左外側面、右外側面、窓部側外側面、表示板装填部、窓部壁、対向壁、間壁、表示板挿入用口、表示板表示用窓部、凸部、隆起部、表示板スライド用溝などの符号による図示は省略している。また、凸部は、両側の表示板スライド用溝の間の中間または中間付近に存在している。
【手続補正１０】
【補正対象書類名】明細書
【補正対象項目名】０２３７
【補正方法】変更
【補正の内容】
【０２３７】
図１８（ｂ１）、図１８（ｂ２）、図１８（ｂ３）は順に、表示板支持部材２６０の左側面図、正面図（前面図）、右側面図である。表示板支持部材２６０は、表示板支持部材１００とは異なり、表示板スライド用溝の底よりも表示板表示用窓部の側に少しずれた位置に突起状の凸部２６５ｆを有しており、それ以外は表示板支持部材１００と同じ形状をしている。なお、左外側面、右外側面、窓部側外側面、表示板装填部、窓部壁、対向壁、間壁、表示板挿入用口、表示板表示用窓部、隆起部、表示板スライド用溝などの符号による図示は省略している。
【手続補正書】
【提出日】平成22年5月18日(2010.5.18)
【手続補正１】
【補正対象書類名】明細書
【補正対象項目名】００２１
【補正方法】変更
【補正の内容】
【００２１】
また、勿論、連結板挿入用スペースは、連結板支持部材を貫通せず、連結板装填部は、連結板挿入用口を連結板スライド用溝の一方の端にのみ有するとしても良い。
この構造により、連結板を用いて、連結板装填部形成部材同士を一度連結すると、連結板の取出しが困難となり、連結解除が困難になり、連結後に分解をしたくない場合に有利となる。